(57)【要約】【課題】装置内外の無線タグ回路素子との情報送受信を可能とすることで、機器構成の簡素化及び利用者のコスト負担の低減を図る。【解決手段】無線タグ情報通信装置１は、装置本体２の外郭を構成する筐体２００内に設けられ、基材テープ１０１を搬送するためのテープ送りローラ駆動軸１０８と、情報を記憶するＩＣ回路部１５１と情報の送受信を行うアンテナ１５２とをそれぞれ備えた、基材テープに備えられるラベル作成用無線タグ回路素子Ｔoと筐体２００外に位置する情報送受用無線タグ回路素子Ｔoとに対し、情報送受信可能なラベル作成用アンテナＬＣ１及び情報送受用アンテナＬＣ２とを有し、これらアンテナＬＣ１，ＬＣ２を介し、ラベル作成用無線タグ回路素子Ｔoにも情報送受用無線タグ回路素子Ｔoにも、情報読み取り及び情報書き込みの両方を実行可能に構成されている。【選択図】図１５
2008226223.tif 000002
【特許請求の範囲】
【請求項１】
装置本体の外郭を構成する筐体内に設けられ、タグ媒体を含むラベル媒体を搬送するための搬送手段と、
情報を記憶するＩＣ回路部と情報の送受信を行うタグ側アンテナとをそれぞれ備えた、前記タグ媒体に備えられる第１無線タグ回路素子と前記筐体外に位置する第２無線タグ回路素子とに対し、情報送受信可能な装置側アンテナ手段と、
前記装置側アンテナ手段を介して、
前記第１無線タグ回路素子に対し情報読み取り及び情報書き込みの両方を実行可能であるとともに、前記第２無線タグ回路素子に対し情報読み取り及び情報書き込みの両方を実行可能である、読み書き制御手段と
を有することを特徴とする無線タグ情報通信装置。
【請求項２】
請求項１記載の無線タグ情報通信装置において、
前記第２無線タグ回路素子に対する情報読み取り又は情報書き込みを行うための通電を開始する通電処理モードと、前記第２無線タグ回路素子に対する情報読み取り又は情報書き込みを行うための通電を解除する通電解除モードとを切替可能な通電モード切替手段を有することを特徴とする無線タグ情報通信装置。
【請求項３】
請求項２記載の無線タグ情報通信装置において、
前記通電モード切替手段は、
前記通電処理モードと、指示信号の入力に応じて通電開始し前記第１無線タグ回路素子を備えた前記タグ媒体を用いてタグラベル作成処理を行う前記通電解除モードとしてのラベル作成処理モードとを、切替可能である
ことを特徴とする無線タグ情報通信装置。
【請求項４】
請求項２又は請求項３記載の無線タグ情報通信装置において、
前記通電モード切替手段は、
前記第２無線タグ回路素子に対する情報読み取り又は情報書き込みの実行時における前記第２無線タグ回路素子の近接を非接触にて検出するための近接検出手段を備える
ことを特徴とする無線タグ情報通信装置。
【請求項５】
請求項４記載の無線タグ情報通信装置において、
前記近接検出手段は、
前記第２無線タグ回路素子に対する情報読み取り又は情報書き込みの実行時における前記第２無線タグ回路素子の近接を光学的に検出する第１光学検出手段である
ことを特徴とする無線タグ情報通信装置。
【請求項６】
請求項５記載の無線タグ情報通信装置において、
前記通電モード切替手段は、
前記装置本体に前記第１光学検出手段とは別に設けた第２光学検出手段を備え、
前記第１光学検出手段の検出結果と前記第２光学検出手段の検出結果とに応じて、前記通電処理モードと前記通電解除モードとを切り替えることを特徴とする無線タグ情報通信装置。
【請求項７】
請求項１乃至請求項６のいずれか１項記載の無線タグ情報通信装置において、
前記読み書き制御手段は、
前記第２無線タグ回路素子に対して情報読み取り及び情報書き込みの両方を行うことを特徴とする無線タグ情報通信装置。
【請求項８】
請求項１乃至請求項６のいずれか１項記載の無線タグ情報通信装置において、
前記読み書き制御手段は、
前記第２無線タグ回路素子に対して情報読み取りのみを行うことを特徴とする無線タグ情報通信装置。
【請求項９】
請求項７又は請求項８記載の無線タグ情報通信装置において、
前記読み書き制御手段が前記第２無線タグ回路素子に対する情報読み取り及び情報書き込みの両方を行う読み書きモードと、前記読み書き制御手段が前記第２無線タグ回路素子に対する情報読み取りのみを行う読み取りモードとを、切替可能な通信モード切替手段を有することを特徴とする無線タグ情報通信装置。
【請求項１０】
請求項２又は請求項９記載の無線タグ情報通信装置において、
前記通電モード切替手段又は前記通信モード切替手段は、
前記装置本体の全部又は一部の姿勢の変化に応じてモード切替を実行可能に構成されている
ことを特徴とする無線タグ情報通信装置。
【請求項１１】
請求項１０記載の無線タグ情報通信装置において、
前記通電モード切替手段又は前記通信モード切替手段は、
前記装置本体の全部又は一部の姿勢の変化に応じて切替可能なスイッチを備える
ことを特徴とする無線タグ情報通信装置。
【請求項１２】
請求項１０又は請求項１１記載の無線タグ情報通信装置において、
前記装置側アンテナ手段は、
前記第１無線タグ回路素子と情報送受信するためのラベル作成用アンテナと、前記第２タグ回路素子と情報送受信するための外部通信用アンテナとから構成されている
ことを特徴とする無線タグ情報通信装置。
【請求項１３】
請求項１２記載の無線タグ情報通信装置において、
前記通信モード切替手段は、
前記装置本体が、前記筐体の上面側に前記外部通信用アンテナが位置するような姿勢となったとき、前記読み書きモードに切り替える
ことを特徴とする無線タグ情報通信装置。
【請求項１４】
請求項１２記載の無線タグ情報通信装置において、
前記通信モード切替手段は、
前記装置本体が、前記筐体の側面側に前記外部通信用アンテナが位置するような姿勢となったとき、前記読み取りモードに切り替える
ことを特徴とする無線タグ情報通信装置。
【請求項１５】
請求項１２乃至請求項１４のいずれか１項記載の無線タグ情報通信装置において、
前記筐体は、その周囲部よりも突出するように設けた突出部を備えており、
前記外部通信用アンテナは、前記突出部に設けられている
ことを特徴とする無線タグ情報通信装置。
【請求項１６】
請求項１２乃至請求項１５のいずれか１項記載の無線タグ情報通信装置において、
前記外部通信用アンテナを保護するための緩衝部材を有する
ことを特徴とする無線タグ情報通信装置。
【請求項１７】
請求項１２乃至請求項１６のいずれか１項記載の無線タグ情報通信装置において、
前記筐体は、回動して開閉可能な回動部を備えており、
前記外部通信用アンテナは、前記回動部に設けられている
ことを特徴とする無線タグ情報通信装置。
【請求項１８】
請求項１２乃至請求項１７のいずれか１項記載の無線タグ情報通信装置において、
前記外部通信用アンテナの設置位置を明示するための表示部を前記筐体に設けた
ことを特徴とする無線タグ情報通信装置。
【発明の詳細な説明】
【技術分野】
【０００１】
本発明は、情報を記憶するＩＣ回路部とタグ側アンテナとを備えた無線タグ回路素子と無線通信により情報の送受信を行うための無線タグ情報通信装置に関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えている。そして、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用化が進んでいる。
【０００３】
例えば、このような無線タグ回路素子に対し情報の書き込みを行う無線タグ情報通信装置（記録装置）としては、特許文献１に記載のものが知られている。この従来技術では、所定間隔で長方形状のラベル片(ラベル)が貼り付けられた帯状のタグテープ（台紙）がタグテープロール（ロール紙）から繰り出され、搬送路を搬送される際に、各ラベル片に内蔵された無線タグ回路素子のアンテナに対し、装置側で生成した所定の無線タグ情報が送信され、アンテナに接続されたＩＣ回路部（ＩＣチップ）に順次書き込まれるとともに、印字手段（記録ヘッド）によって、上記書き込まれた無線タグ情報に対応した印字情報がＲＦＩＤラベル表面に印字されて、無線タグラベルが完成するようになっている。
【０００４】
【特許文献１】特開２００４−８２４３２号公報
【発明の開示】
【発明が解決しようとする課題】
【０００５】
一般に、上記従来技術の無線タグ情報通信装置（書き込み装置）により無線タグ情報の書き込み及び関連する印字が行われて作成された無線タグラベルは、管理対象（商品等）に対し貼付等により設けられる。そして、リーダ（読み取り装置）により、上記商品等に設けられた無線タグラベルから無線タグ情報を読み取ることで、商品に関する情報を入手して当該商品の管理等が行われる。このように、無線タグラベルを作成しこれを用いて実際に商品管理等を行うには、リーダとライタの両方の機能を備えたシステムが必要である。しかしながら、上記従来のライタはリーダとしての機能を有していないか、又は有していたとしてもそのリーダ機能はあくまでも書き込み用のタグとの通信のみのために構成されていて、そのリーダ機能を商品等の管理に適用することはできなかったため、別途リーダ機能を実行するための無線タグ情報通信装置を用意する必要があった。このため、利用者のコスト負担が大きかった。
【０００６】
本発明の目的は、装置内外の無線タグ回路素子との情報送受信を可能とすることで、機器構成の簡素化及び利用者のコスト負担の低減を図ることができる無線タグ情報通信装置を提供することにある。
【課題を解決するための手段】
【０００７】
上記目的を達成するために、第１の発明は、装置本体の外郭を構成する筐体内に設けられ、タグ媒体を含むラベル媒体を搬送するための搬送手段と、情報を記憶するＩＣ回路部と情報の送受信を行うタグ側アンテナとをそれぞれ備えた、前記タグ媒体に備えられる第１無線タグ回路素子と前記筐体外に位置する第２無線タグ回路素子とに対し、情報送受信可能な装置側アンテナ手段と、前記装置側アンテナ手段を介して、前記第１無線タグ回路素子に対し情報読み取り及び情報書き込みの両方を実行可能であるとともに、前記第２無線タグ回路素子に対し情報読み取り及び情報書き込みの両方を実行可能である、読み書き制御手段とを有することを特徴とする。
【０００８】
本願第１発明においては、装置側アンテナ手段を用いてタグラベル作成処理と外部通信処理とを実行可能である。すなわち、タグラベル作成処理の実行時にあっては、第１無線タグ回路素子を備えたタグ媒体を含むラベル媒体が搬送手段で搬送される。そして、装置側アンテナ手段を介しその第１無線タグ回路素子に対し読み書き制御手段で情報送受信が行われ、読み書きが終了した第１無線タグ回路素子を備えたタグ媒体を用いて、無線タグラベルが作成される。一方、外部通信処理実行時にあっては、装置側アンテナ手段を介し、筐体の外部に位置する第２無線タグ回路素子に対し読み書き制御手段で情報送受信が行われ、所定の無線タグ情報が読み取られる（又は所定の無線タグ情報が書き込まれる）。このようにして、アンテナ手段や読み書き制御部分を共用しつつ、筐体内部での無線タグラベルの作成処理と筐体外部の無線タグ回路素子への通信処理との両方を行うことができる。この結果、ラベル作成装置と無線タグ情報通信装置との両方を別々にそろえる場合に比べ、機器構成の簡素化及び利用者のコスト負担の低減を図ることができる。
【０００９】
第２発明は、上記第１発明において、前記第２無線タグ回路素子に対する情報読み取り又は情報書き込みを行うための通電を開始する通電処理モードと、前記第２無線タグ回路素子に対する情報読み取り又は情報書き込みを行うための通電を解除する通電解除モードとを切替可能な通電モード切替手段を有することを特徴とする。
【００１０】
筐体外部の第２無線タグ回路素子に対する外部通信処理は、操作者が第２無線タグ回路素子を添付、貼り付け等した対象物を装置側アンテナ手段の通信距離範囲内に近接させて行うため、比較的大きな電力が必要となる場合が多い。本願第２発明はこれに対応して、通電モード切替手段を設け、第２無線タグ回路素子に対する情報読み取り又は情報書き込み実行の通電開始のための通電処理モードと、通電を解除する通電解除モードとを切替可能としている。これにより、タグラベル作成処理と外部通信処理との両方の機能を備える無線タグ情報通信装置において、操作者が外部通信処理を行う場合にのみ通電モード切替手段で外部通信処理モードにして通電を行う一方、外部通信処理を行わない場合には通電解除モードにして外部通信処理のための通電を行わないようにすることができる。これにより、このような通電と通電解除との切替を行わない場合に比べ、電力消費を低減し省エネルギ化を図ることができる。また、無駄な外部通信処理動作を防止することで本来意図しない誤検知を防止できる効果もある。
【００１１】
第３発明は、上記第２発明において、前記通電モード切替手段は、前記通電処理モードと、指示信号の入力に応じて通電開始し前記第１無線タグ回路素子を備えた前記タグ媒体を用いてタグラベル作成処理を行う前記通電解除モードとしてのラベル作成処理モードとを、切替可能であることを特徴とする。
【００１２】
タグラベル作成処理と外部通信処理との両方の機能を備える場合、ラベル作成処理はラベル作成実行開始の旨の指示信号の入力により通電開始されて作成開始することとなる。本願第３発明においては、操作者が外部通信処理を行う場合は通電モード切替手段で通電処理モードにして外部通信処理のための通電を行う一方、外部通信処理を行わない場合はその外部通信処理のための通電を解除して待ち状態で待機するとともに、指示信号の入力があればラベル作成処理モードに移行するようにする。これにより、電力消費を低減して省エネルギ化を図れるとともに、ラベル作成指示信号の入力に応じて速やかにラベル作成処理を実行することができる。
【００１３】
第４発明は、上記第２又は第３発明において、前記通電モード切替手段は、前記第２無線タグ回路素子に対する情報読み取り又は情報書き込みの実行時における前記第２無線タグ回路素子の近接を非接触にて検出するための近接検出手段を備えることを特徴とする。
【００１４】
これにより、操作者が外部通信処理に伴い第２無線タグ回路素子を添付、貼り付け等した対象物を近接検出手段に近づけたかどうかに応じ、通電と通電解除との切替を行うことができる。
【００１５】
第５発明は、上記第４発明において、前記近接検出手段は、前記第２無線タグ回路素子に対する情報読み取り又は情報書き込みの実行時における前記第２無線タグ回路素子の近接を光学的に検出する第１光学検出手段であることを特徴とする。
【００１６】
これにより、第２無線タグ回路素子を添付、貼り付け等した対象物を近づけたかどうかに応じ、その挙動を光学的に検出して、通電と通電解除との切替を行うことができる。
【００１７】
第６発明は、上記第５発明において、前記通電モード切替手段は、前記装置本体に前記第１光学検出手段とは別に設けた第２光学検出手段を備え、前記第１光学検出手段の検出結果と前記第２光学検出手段の検出結果とに応じて、前記通電処理モードと前記通電解除モードとを切り替えることを特徴とする。
【００１８】
第１光学検出手段のみならず第２光学検出手段の検出結果を加味してモード切替を行うことにより、第２無線タグ回路素子を添付、貼り付け等した対象物を近づけたことによる遮光状態を、それ以外の遮光状態（設置箇所の室内灯を消した等）と混同し誤検出を行うのを確実に防止することができる。
【００１９】
第７発明は、上記第１乃至第６発明のいずれかにおいて、前記読み書き制御手段は、前記第２無線タグ回路素子に対して情報読み取り及び情報書き込みの両方を行うことを特徴とする。
【００２０】
読み書き制御手段が情報読み取りを行うことにより、第２無線タグ回路素子のＩＣ回路部に記憶した無線タグ情報を装置側で取得することができる。また、読み書き制御手段が情報書き込みを行うことにより、第２無線タグ回路素子のＩＣ回路部に所望の無線タグ情報を装置側から書き込んだり、既に書き込まれた情報を変更したり上書き更新することができる。
【００２１】
第８発明は、上記第１乃至第６発明のいずれかにおいて、前記読み書き制御手段は、前記第２無線タグ回路素子に対して情報読み取りのみを行うことを特徴とする。
【００２２】
読み書き制御手段が情報読み取りを行うことにより、第２無線タグ回路素子のＩＣ回路部に記憶した無線タグ情報を装置側で取得することができる。また、情報読み取りのみを行え情報書き込みを行えないようにすることで、第２無線タグ回路素子のＩＣ回路部に既に書き込まれた情報が誤って変更されたり消去されるのを確実に防止することができる。
【００２３】
第９発明は、上記第７又は第８発明において、前記読み書き制御手段が前記第２無線タグ回路素子に対する情報読み取り及び情報書き込みの両方を行う読み書きモードと、前記読み書き制御手段が前記第２無線タグ回路素子に対する情報読み取りのみを行う読み取りモードとを、切替可能な通信モード切替手段を有することを特徴とする。
【００２４】
外部通信処理を行う場合のモードとして読み書きモードと読み取りモードとを設け、通信モード切替手段で切り替えるようにする。これにより、操作者が外部通信処理を行うときの使用態様や求める特性等に応じて最適なモードを選択して使うことができる。またこのようにモード分けをして切り替えるようにすることで、第２無線タグ回路素子のＩＣ回路部に既に書き込まれた情報を意図せず誤って変更したり消去するのを確実に防止することができる。以上の結果、操作者の利便性を向上することができる。
【００２５】
第１０発明は、上記第２又は第９発明において、前記通電モード切替手段又は前記通信モード切替手段は、前記装置本体の全部又は一部の姿勢の変化に応じてモード切り替えを実行可能に構成されていることを特徴とする。
【００２６】
これにより、操作者が外部通信処理やタグラベル作成処理に伴い装置本体の全部（又は一部）の姿勢を変化させたかどうかに応じてモードが切り替わり、通電処理モードと通電解除モード、あるいは読み書きモードと読み取りモードの切り替えを行うことができる。
【００２７】
第１１発明は、上記第１０発明において、前記通電モード切替手段又は前記通信モード切替手段は、前記装置本体の全部又は一部の姿勢の変化に応じて切替可能なスイッチを備えることを特徴とする。
【００２８】
これにより、操作者が外部通信処理やタグラベル作成処理に伴い装置本体の全部（又は一部）の姿勢を変化させたかどうかに応じてスイッチが切り替わり、これに応じて通電処理モードと通電解除モード、あるいは読み書きモードと読み取りモードの切り替えを行うことができる。
【００２９】
第１２発明は、上記第１０又は第１１発明において、前記装置側アンテナ手段は、前記第１無線タグ回路素子と情報送受信するためのラベル作成用アンテナと、前記第２タグ回路素子と情報送受信するための外部通信用アンテナとから構成されていることを特徴とする。
【００３０】
これにより、操作者が外部通信処理を行う場合はモード切替手段で通電処理モードにして外部通信用アンテナを介して外部通信処理を行い、外部通信処理を行わない場合は通電解除モードに移行してラベル作成用アンテナを介してタグラベル作成処理を行うことができる。
【００３１】
第１３発明は、上記第１２発明において、前記通信モード切替手段は、前記装置本体が、前記筐体の上面側に前記外部通信用アンテナが位置するような姿勢となったとき、前記読み書きモードに切り替えることを特徴とする。
【００３２】
外部通信処理の実行時、外部通信用アンテナが筐体上面側に位置している場合には操作者がアンテナの存在を認識しやすいので、第２無線タグ回路素子のＩＣ回路部に既に書き込まれた情報を誤って変更したり消去する等の意図しない誤操作の可能性は低い。したがって、通信モード切替手段で読み書きモードへ切り替えることで、第２無線タグ回路素子に対し、情報読み取りと情報書き込みとの両方を確実に行うことができる。
【００３３】
第１４発明は、上記第１２発明において、前記通信モード切替手段は、前記装置本体が、前記筐体の側面側に前記外部通信用アンテナが位置するような姿勢となったとき、前記読み取りモードに切り替えることを特徴とする。
【００３４】
外部通信処理の実行時、外部通信用アンテナが筐体側面側に位置している場合には操作者がアンテナの存在を認識しにくい。したがって、通信モード切替手段で読み取りモードへ切り替えることで、第２無線タグ回路素子に対し、情報読み取りのみを行え情報書き込みは行えないようにする。これにより、第２無線タグ回路素子のＩＣ回路部に既に書き込まれた情報を誤って変更したり消去する等、意図しない誤操作を確実になくすことができる。
【００３５】
第１５発明は、上記第１２乃至第１４発明のいずれかにおいて、前記筐体は、その周囲部よりも突出するように設けた突出部を備えており、前記外部通信用アンテナは、前記突出部に設けられていることを特徴とする。
【００３６】
これにより、外部通信用アンテナの位置が操作者にとってわかりやすくなる。
【００３７】
第１６発明は、上記第１２乃至第１５発明のいずれかにおいて、前記外部通信用アンテナを保護するための緩衝部材を有することを特徴とする。
【００３８】
これにより、第２無線タグ回路素子を添付、貼り付け等した対象物を近づけてかざすときに、誤って外部通信用アンテナに接触し衝撃が加わるのを確実に防止することができる。
【００３９】
第１７発明は、上記第１２乃至第１６発明のいずれかにおいて、前記筐体は、回動して開閉可能な回動部を備えており、前記外部通信用アンテナは、前記回動部に設けられていることを特徴とする。
【００４０】
外部通信処理を行うときに回動部を開き状態とし外部通信用アンテナを用いて外部通信処理を行うようにすることで、第２無線タグ回路素子を添付、貼り付け等した対象物を近づけるときに、より簡単にアンテナにかざすことができる。また外部通信処理を行わないときは回動部を閉じ状態とすることで装置全体をコンパクト化することができる。
【００４１】
第１８発明は、上記第１２乃至第１７発明のいずれかにおいて、前記外部通信用アンテナの設置位置を明示するための表示部を前記筐体に設けたことを特徴とする。
【００４２】
これにより、外部通信用アンテナの位置が操作者にとってわかりやすくなる。
【発明の効果】
【００４３】
本発明によれば、装置内外の無線タグ回路素子との情報送受信を可能とすることで、機器構成の簡素化及び利用者のコスト負担の低減を図ることができる。
【発明を実施するための最良の形態】
【００４４】
以下、本発明の一実施の形態を図面を参照しつつ説明する。本実施形態は、本発明を無線タグラベルの生成システムに適用した場合の実施形態である。
【００４５】
図１に、本実施形態の無線タグ情報通信装置１を備えた無線タグ生成システムＴＳを示す。
【００４６】
図１に示すこの無線タグ生成システムＴＳにおいて、無線タグ情報通信装置１は、有線あるいは無線による通信回線ＮＷを介してルートサーバＲＳ、複数の情報サーバＩＳ、端末１１８ａ及び汎用コンピュータ１１８ｂに接続されている。なお、端末１１８ａ及び汎用コンピュータ１１８ｂを総称して以下適宜、単に「ＰＣ１１８」と称する。
【００４７】
図２に、無線タグ情報通信装置１の外観構成を示す。この無線タグ情報通信装置１は、上記ＰＣ１１８からの操作に基づき、装置内においてラベル作成用無線タグ回路素子（第１無線タグ回路素子）Ｔoを備えた基材テープ１０１（詳細は後述）を用いてタグラベル作成処理（詳細は後述）を行ったり、装置外部の情報送受用無線タグ回路素子（第２無線タグ回路素子）Ｔoに対して外部通信処理（詳細は後述）を行うものである。これに対応して、無線タグ情報通信装置１の動作モードとして、上記タグラベル作成処理を行うためのラベル作成処理モードと、上記外部通信処理を行うための外部通信処理モードと、ラベル作成処理モード及び外部通信処理モードのいずれにもならない待機モードとがある（各モードの詳細は後述）。
【００４８】
図２において、無線タグ情報通信装置１は、装置本体２と、この装置本体２のカートリッジホルダ６（後述の図４参照）に装着されるカートリッジ７とを有している。装置本体２は、（上面部、下面部、前面部、背面部、左右の両側面部を備えた）全体的に直方体状の筐体２００をその外郭として備えている。上面部には、開閉蓋３、開閉蓋操作ボタン４、方向マークＹ、ＬＥＤ９１、及びモニタ９２が設けられている。前面部には、ラベル排出口１１、前蓋１２、電源ボタン１４、およびカッター駆動ボタン１６が設けられている。また一方の（この例では右側の）側面部には情報送受用通信部６１が設けられ、背面部には第２フォトセンサ（第２光学検出手段）６２が設けられている（便宜的に破線で図示）。なお、他方の（この例では左側の）側面部にはプッシュスイッチ（スイッチ）６８と支持パッド６９とが設けられている（後述の図３参照）。
【００４９】
開閉蓋３は、装置本体２の図２中右奥側の端部にて回動可能に支持され、また図示を省略の付勢部材により開き方向に付勢される一方で、装置本体２との間がロック可能に構成されている。また、カートリッジ７の着脱の際には、開閉蓋操作ボタン４が押されることで上記ロックが解除となり、開閉蓋３が上記付勢部材の付勢作用により開き、その状態でカートリッジ７の装着や取外しを行えるようになっている。なお、開閉蓋３には、透明カバーなどを嵌め込んだ透視窓５が設けられている。
【００５０】
方向マーク（表示部）Ｙは、上記情報送受用通信部６１が設けられている側面部の方向（言い換えれば後述の情報送受用アンテナＬＣ２の設置位置を）を明示する。操作者にとって、この方向マークＹにより情報送受用通信部６１の方向が（言い換えれば後述の情報送受用アンテナＬＣ２の設置位置が）わかりやすくなっている。
【００５１】
ＬＥＤ９１は、処理モードが外部通信処理モードに切り替えられていることを操作者に報知する表示器である。具体的には、外部通信処理モードに切り替えられているときには、ＬＥＤ９１が点滅または点灯する。これにより、装置の動作状態を視覚によって操作者に確実に認識させることができる。なお、ＬＥＤ９１に代え、あるいはＬＥＤ９１に加え、ビープ音やブザー等の音声出力による報知を行う手段（スピーカ等）を設けても良い。
【００５２】
モニタ９２は、外部通信処理モードにおける外部通信処理の結果に対応した報知（読み取り内容、書き込み内容）を操作者に対して行う表示器である。このモニタ９２を設けることにより、外部通信処理の結果等を視覚によって操作者に確実に認識させることができる。また、その結果表示のための表示装置等を無線タグ情報通信装置１の他に別途設ける必要がなくなる。なお、外部通信処理の結果として、情報送受の成功または失敗のみを報知する場合には、モニタの代わりにＬＥＤを設けても良い。この場合、動作状態を表示するＬＥＤ９１と兼用し、色、点灯間隔等によって、表示しても良い。また、音声発生による報知を行う手段（スピーカ等）を設けても良い。
【００５３】
ラベル排出口１１は、装置本体２の内部で作成される無線タグラベルＴを外部に排出するものである。前蓋１２は、下端を支点にした回動で開閉可能となっており、上端部に設けられている押部１２ｐを上方より押し込むことで前方に回動して開く。電源ボタン１４は、無線タグ情報通信装置１の主電源のオン・オフ操作に用いられる。カッター駆動ボタン１６は、装置本体２内に配設された切断機構１５（後述の図４、図５参照）を操作者の手動操作で駆動するためのものである。このボタン１６が押されることで、印字済みタグラベル用テープ１０９（後述の図５、図６参照）を所望の長さにカットして無線タグラベルＴを作成するようになっている。
【００５４】
情報送受用通信部６１は、装置本体２の側面部に、その周囲部よりも適切な高さで突出するように設けた突出部７０と、この突出部７０に設けられ筐体２００外に位置する情報送受用の無線タグ回路素子Ｔo（＝第２無線タグ回路素子。後述の図８参照。詳細は後述）と無線通信により情報送受信を行うための情報送受用アンテナＬＣ２（外部通信用アンテナ）と、上記突出部７０に設けられた第１フォトセンサ（近接検出手段、第１光学検出手段）７２とを有している。
【００５５】
第１フォトセンサ７２及び第２フォトセンサ６２は、この例では、遮光されることで対応する遮光検出信号をそれぞれ出力するものである。
【００５６】
情報送受用アンテナＬＣ２は、後述のラベル作成用アンテナＬＣ１とともに装置側アンテナ手段を構成するものであり、例えばループアンテナが用いられる。突出部７０に情報送受用アンテナＬＣ２を設けることにより、操作者に情報送受用アンテナＬＣ２の位置を確認しやすくすることができ、これによって使い勝手を向上させることができる。また、この情報送受用アンテナＬＣ２は、緩衝部材７３で覆うことで保護されている。これにより、後述するように情報送受用無線タグ回路素子Ｔoを添付、貼り付け等した対象物を近づけてかざすときに、情報送受用アンテナＬＣ２に接触し衝撃が加わるのを確実に防止することができる。
【００５７】
図３に、図２の無線タグ情報通信装置の装置本体を横置きに（図２における左側面部を下に、右側面部を上に）した状態を示す。
【００５８】
情報送受用アンテナＬＣ２は、例えば図３に示すように物品Ｍ（対象物）に貼付されている無線タグラベルＴｕ（この無線タグ情報通信装置１以外で作成されたものを含む。またラベル状のものに限られず、カード状等の他の形状の無線タグでもよい）が一定状態まで近接するようにかざされた際に、無線タグラベルＴｕに備えられる上記無線タグ回路素子Ｔo（＝第２無線タグ回路素子）との間で通信を行う。これにより、その無線タグ回路素子Ｔoに記録されている情報を読み取ることができ、また無線タグ回路素子Ｔoに所望の情報を書き込むこともできる（詳細は後述）。このとき、上記情報読み取り又は書き込みのために無線タグラベルＴｕを情報送受用アンテナＬＣ２にかざす際に誤って物品Ｍを情報送受用アンテナＬＣ２にぶつける状態になっても、緩衝部材７３の緩衝作用により情報送受用アンテナＬＣ２に過剰な衝撃が加わるのを防止できるようになっている。
【００５９】
プッシュスイッチ６８は、切替可能な機械的スイッチである。このプッシュスイッチ６８は、図３に示すように、情報送受用通信部６１が上になるように無線タグ情報通信装置１を横置き姿勢にすると（支持パッド６９を介して支持面Ｆにより支持させると）、図中に実線で示すように支持面Ｆにより押し込まれ、スイッチＯＮ状態となる。この状態で、例えば操作者により上記無線タグラベルＴｕが情報送受用アンテナＬＣ２に対して適切にかざされると、第１フォトセンサ７２へ入射する光量が減少し、これによって上記遮光検出信号がＯＮ信号として出力されるようになる。
【００６０】
図４に、無線タグ情報通信装置１の内部の内部ユニット２０の構造（但し後述するラベル作成用アンテナＬＣ１は省略）を示す。図４において、内部ユニット２０は、概略的には、カートリッジ７を収納する上記カートリッジホルダ６と、印字ヘッド（サーマルヘッド）２３を備えた印字機構２１と、固定刃４０及び可動刃４１を備えた上記切断機構１５と、固定刃４０及び可動刃４１のテープ搬送方向下流側に位置し、ハーフカッタ３４を備えたハーフカットユニット３５とが設けられている。
【００６１】
カートリッジ７の上面には、例えば、カートリッジ７内に内蔵されている上記基材テープ１０１のテープ幅、テープの色等を表示するテープ特定表示部８が設けられている。また、カートリッジホルダ６には、ローラホルダ２５が支持軸２９により回動可能に枢支され、切換機構により印字位置（接触位置、後述の図５参照）とリリース位置（離反位置）とに切換可能となっている。このローラホルダ２５には、プラテンローラ２６及び圧着ローラ２８が回転可能に配設されており、ローラホルダ２５が上記印字位置に切り換えられたときに、それらプラテンローラ２６及び圧着ローラ２８が上記印字ヘッド２３及びテープ送りローラ２７に対し圧接されるようになっている。
【００６２】
印字ヘッド２３は多数の発熱素子を備えており、カートリッジホルダ６に立設されたヘッド取付部２４に取り付けられている。
【００６３】
切断機構１５は、固定刃４０と、金属部材で構成された可動刃４１とを備えている。カッターモータ４３（後述の図７参照）の駆動力が、カッターハスバギヤ４２、ボス５０、長孔４９を介して可動刃４１の柄部４６に伝達されて可動刃が回転し、固定刃４０とともにカット動作を行う。この切断状態は、カッターハスバギヤ用カム４２Ａの作用により切り替わるマイクロスイッチ１２６により検出される。
【００６４】
ハーフカットユニット３５は、受け台３８とハーフカッタ３４とが対向して配置され、さらにガイド固定部３６Ａにより第１ガイド部３６と第２ガイド部３７とが側板４４（後述の図５参照）に取り付けられている。ハーフカッタ３４は、所定の回動支点（図示せず）を中心として、ハーフカッターモータ１２９（後述の図７参照）の駆動力によって回動する。受け台３８の端部には受け面３８Ｂが形成されている。
【００６５】
図５に、図４に示した内部ユニット２０の構造を示す。図５において、上記カートリッジホルダ６は、カートリッジ７のテープ排出部３０より排出されさらに上記ラベル排出口１１から排出される印字済みタグラベル用テープ１０９の幅方向の向きが、鉛直上下方向となるようにカートリッジ７を収納する。
【００６６】
また、内部ユニット２０には、ラベル排出機構２２と、ラベル作成用アンテナＬＣ１とが設けられている。
【００６７】
ラベル作成用アンテナＬＣ１は、筐体２００の内部側に通信可能領域を備え、印字済みタグラベル用テープ１０９に備えられた上記ラベル作成用無線タグ回路素子Ｔoに対し情報送受信可能に構成されている。なお、前述の情報送受用アンテナＬＣ２は、筐体２００の外部側に通信可能領域を備え、筐体２００外に位置する情報送受用無線タグ回路素子Ｔoに対し情報送受信可能に構成されている。このため、このラベル作成用アンテナＬＣ１から発生する磁束を遮断するために、筐体２００内には、例えば金属製のシールド部材８５が設けられている。
【００６８】
ラベル排出機構２２は、切断機構１５において切断された後の印字済みタグラベル用テープ１０９（言い換えれば無線タグラベルＴ、以下同様）をラベル排出口１１（図２参照）より排出するものである。すなわちラベル排出機構２２は、テープ排出モータ１２３（後述の図７参照）の駆動力により回転する駆動ローラ５１と、この駆動ローラ５１に対して印字済みタグラベル用テープ１０９を挟んで対向する押圧ローラ５２と、印字済みタグラベル用テープ１０９に設けられた識別マークＰＭ（後述の図６参照）を検出するマークセンサ１２７とを有している。このとき、上記ラベル排出口１１の内側には、印字済みタグラベル用テープ１０９をラベル排出口１１及びラベル作成用アンテナＬＣ１へ案内するための第１案内壁５５，５６及び第２案内壁６３，６４が設けられている。第１案内壁５５，５６及び第２案内壁６３，６４はそれぞれ一体に形成され、上記固定刃４０と可動刃４１とでカットされた印字済みタグラベル用テープ１０９（無線タグラベルＴ）の排出位置において、互いに所定の間隔を隔てられるように配置されている。
【００６９】
また、テープ送りローラ駆動軸（搬送手段）１０８及びリボン巻取りローラ駆動軸１０７は、印字済みタグラベル用テープ１０９及びインクリボン１０５（後述）の搬送駆動力をそれぞれ与えるものであり、互いに連動して回転駆動される。
【００７０】
図６に、上記カートリッジ７の詳細構造を模式的に示す。
【００７１】
図６において、カートリッジ７は、筐体７Ａと、この筐体７Ａ内に配置され帯状の基材テープ（タグ媒体）１０１が巻回された第１ロール１０２（実際は渦巻き状であるが、図では簡略的に同心円状に示す）と、上記基材テープ１０１と略同じ幅である透明な上記カバーフィルム１０３が巻回された第２ロール１０４（実際は渦巻き状であるが、図では簡略的に同心円状に示す）と、インクリボン１０５（熱転写リボン、但し被印字テープが感熱テープの場合は不要）を繰り出すリボン供給側ロール２１１と、印字後のリボン１０５を巻取るリボン巻取りローラ１０６と、カートリッジ７のテープ排出部３０の近傍に回転可能に支持されたテープ送りローラ２７とを有する。なお、上記基材テープ１０１と、基材テープ１０１に貼り合わされるカバーフィルム１０３とが、ラベル媒体を構成する。
【００７２】
テープ送りローラ２７は、上記基材テープ１０１と上記カバーフィルム１０３とを押圧し接着させ上記印字済みタグラベル用テープ１０９としつつ、図６中矢印Ａで示す方向にテープ送りを行う（＝圧着ローラとしても機能する）。
【００７３】
第１ロール１０２は、リール部材１０２ａの周りに、長手方向に複数のラベル作成用無線タグ回路素子Ｔoが所定の等間隔で順次形成された上記基材テープ１０１を巻回している。基材テープ１０１はこの例では４層構造となっており（図６中部分拡大図参照）、内側に巻かれる側（図６中右側）よりその反対側（図６中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙（剥離材）１０１ｄの順序で積層され構成されている。
【００７４】
ベースフィルム１０１ｂの裏側（図６中左側）には、ループコイル形状に構成され情報の送受信を行うループアンテナ１５２（タグ側アンテナ）がこの例では一体的に設けられており、これに接続するように情報を記憶するＩＣ回路部１５１が形成され、これらによってラベル作成用無線タグ回路素子Ｔoが構成されている。
【００７５】
ベースフィルム１０１ｂの表側（図５中右側）には、後にカバーフィルム１０３を接着するための上記粘着層１０１ａが形成され、またベースフィルム１０１ｂの裏側（図６中左側）には、ラベル作成用無線タグ回路素子Ｔoを内包するように設けた上記粘着層１０１ｃによって上記剥離紙１０１ｄがベースフィルム１０１ｂに接着されている。
【００７６】
なお、上記剥離紙１０１ｄは、最終的にラベル状に完成した無線タグラベルＴが所定の商品等に貼り付けられる際に、これを剥がすことで粘着層１０１ｃにより当該商品等に接着できるようにしたものである。また、この剥離紙１０１ｄの表面には、各ラベル作成用無線タグ回路素子Ｔoに対応した所定の位置（この例では、搬送方向前方側のループアンテナ１５２の先端よりさらに前方側の位置）に、搬送制御用の所定の識別マーク（この例では黒塗りの識別マーク。あるいはレーザ加工等により基材テープ１０１を貫通する孔を穿孔する等でもよい。又はトムソン型での加工穴等でもよい）ＰＭが予め設けられている。
【００７７】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置された上記リボン供給側ロール２１１及び上記リボン巻取りローラ１０６で駆動されるリボン１０５が、上記印字ヘッド２３に押圧されることで当該カバーフィルム１０３の裏面に接触させられるようになっている。
【００７８】
リボン巻取りローラ１０６及びテープ送りローラ２７は、それぞれカートリッジ７外に設けた例えばパルスモータである搬送用モータ１１９（図４及び後述の図７参照）の駆動力が図示しないギヤ機構を介し上記リボン巻取りローラ駆動軸１０７及びテープ送りローラ駆動軸１０８に伝達されることによって連動して回転駆動される。なお、上記印字ヘッド２３は、テープ送りローラ２７よりカバーフィルム１０３の搬送方向上流側に配置されている。
【００７９】
上記構成において、上記第１ロール１０２より繰り出された基材テープ１０１は、テープ送りローラ２７へと供給される。一方、第２ロール１０４より繰り出されるカバーフィルム１０３は、その裏面側（すなわち上記基材テープ１０１と接着される側）に配置されリボン供給側ロール２１１とリボン巻取りローラ１０６とにより駆動されるインクリボン１０５が、上記印字ヘッド２３に押圧されて当該カバーフィルム１０３の裏面に接触させられる。
【００８０】
そして、カートリッジ７が上記カートリッジホルダ６に装着されロールホルダ２５が上記リリース位置から上記印字位置に移動されると、カバーフィルム１０３及びインクリボン１０５が印字ヘッド２３とプラテンローラ２６との間に狭持されるとともに、基材テープ１０１及びカバーフィルム１０３がテープ送りローラ２７と圧着ローラ２８との間に狭持される。そして、搬送用モータ１１９の駆動力によってリボン巻取りローラ１０６及びテープ送りローラ２７が図６中矢印Ｂ及び矢印Ｃで示す方向にそれぞれ同期して回転駆動される。このとき、前述のテープ送りローラ駆動軸１０８と上記圧着ローラ２８及びプラテンローラ２６はギヤ機構（図示せず）にて連結されており、テープ送りローラ駆動軸１０８の駆動に伴いテープ送りローラ２７、圧着ローラ２８及びプラテンローラ２６が回転し、第１ロール１０２から基材テープ１０１が繰り出され、上述のようにテープ送りローラ２７へ供給される。一方、第２ロール１０４からはカバーフィルム１０３が繰り出されるとともに、印刷駆動回路１２０（後述の図７参照）により印字ヘッド２３の複数の発熱素子が通電される。この結果、カバーフィルム１０３の裏面に、貼り合わせ対象となる基材テープ１０１上のラベル作成用無線タグ回路素子Ｔoに対応した印字Ｒ（後述の図９参照）が印刷される。そして、上記基材テープ１０１と上記印刷が終了したカバーフィルム１０３とが上記テープ送りローラ２７及び圧着ローラ２８により接着されて一体化されて印字済みタグラベル用テープ１０９として形成され、テープ排出部３０（図５参照）よりカートリッジ７外へと搬出される。カバーフィルム１０３への印字が終了したインクリボン１０５は、リボン巻取りローラ駆動軸１０７の駆動によりリボン巻取りローラ１０６に巻取られる。
【００８１】
また、カートリッジホルダ６の対応する位置には、カートリッジ７の装着状態を検出するカートリッジセンサ８１が設けられ、カートリッジ７に設けられた被検出部１９０を検出する。このカートリッジセンサ８１の検出信号が制御回路１１０（後述の図７参照）へ入力され、カートリッジ７の着脱及び装着時のカートリッジ種類を検出するようになっている。
【００８２】
そして、上述のように貼り合わされて生成された印字済みタグラベル用テープ１０９に対し上記ラベル作成用アンテナＬＣ１によりラベル作成用無線タグ回路素子Ｔoに情報読み取り又は書き込みが行われた後、自動的にあるいは上記カッター駆動ボタン１６（図２参照）を操作することにより切断機構１５によって印字済みタグラベル用テープ１０９が切断され、無線タグラベルＴが生成される。この無線タグラベルＴは、その後さらに上記ラベル排出機構２２によってラベル排出口１１（図２参照）から排出される。
【００８３】
図７に、本実施形態の無線タグ情報通信装置１の制御系を示す。図７において、この無線タグ情報通信装置１の制御基板（図示せず）上には、制御回路１１０が配置されている。
【００８４】
制御回路１１０には、各機器を制御するＣＰＵ１１１と、このＣＰＵ１１１にデータバス１１２を介して接続された入出力インターフェース１１３と、ＣＧＲＯＭ１１４と、ＲＯＭ１１５，１１６と、ＲＡＭ１１７とが設けられている。
【００８５】
ＲＯＭ１１６には、上記ＰＣ１１８からの操作入力信号に対応させて、印字バッファのデータを読み出して上記印字ヘッド２３、搬送用モータ１１９、テープ排出モータ６５を駆動する印字駆動制御プログラム、印字終了した場合に印字済みタグラベル用テープ１０９を切断位置まで搬送用モータ１１９を駆動して搬送し、上記カッターモータ４３を駆動して印字済みタグラベル用テープ１０９を切断する切断駆動制御プログラム、切断された印字済みタグラベル用テープ１０９（＝無線タグラベルＴ）をテープ排出モータ６５を駆動してラベル排出口１１から強制的に排出するテープ排出プログラム、ラベル作成用又は情報送受用の無線タグ回路素子Ｔoに対する問いかけ信号や書き込み信号などのアクセス情報を生成して送信回路３０６（後述）に出力する送信プログラム、受信回路３０７（後述）から入力された応答信号などを処理する受信プログラム、その他無線タグ情報通信装置１の制御上必要な各種のプログラムが格納されている。ＣＰＵ１１１は、このようなＲＯＭ１１６に記憶されている各種プログラムに基づいて各種の演算を行う。
【００８６】
ＲＡＭ１１７には、テキストメモリ１１７Ａ、印字バッファ１１７Ｂ、パラメータ記憶エリア１１７Ｅ等が設けられている。テキストメモリ１１７Ａには、ＰＣ１１８から入力された文書データが格納される。印字バッファ１１７Ｂには、複数の文字や記号等の印字用ドットパターンや各ドットの形成エネルギ量である印加パルス数等がドットパターンデータとして格納され、印字ヘッド２３はこの印字バッファ１１７Ｂに記憶されているドットパターンデータに従ってドット印字を行う。パラメータ記憶エリア１１７Ｅには、各種演算データや、情報読み取り（取得）又は情報書き込みが行われた情報送受用無線タグ回路素子Ｔo（前述）のタグ識別情報（タグＩＤ）等が記憶される。
【００８７】
入出力インターフェース１１３には、上記ＰＣ１１８と、印字ヘッド２３を駆動するための上記印刷駆動回路１２０と、上記搬送用モータ１１９を駆動するための搬送用モータ駆動回路１２１と、カッターモータ４３を駆動するためのカッターモータ駆動回路１２２と、ハーフカッターモータ１２９を駆動するためのハーフカッターモータ駆動回路１２８と、テープ排出モータ６５を駆動するためのテープ排出モータ駆動回路１２３と、上記ラベル作成用アンテナＬＣ１及び情報送受用アンテナＬＣ２を介してラベル作成用又は情報送受用無線タグ回路素子Ｔoにアクセスする(読み取り／書き込みを行う)ための搬送波を発生させるとともに、上記制御回路１１０から入力される制御信号に基づいて上記搬送波を変調して質問波を出力する送信回路３０６と、ラベル作成用又は情報送受用無線タグ回路素子Ｔoから上記ラベル作成用アンテナＬＣ１や情報送受用アンテナＬＣ２を介して受信された応答波（応答信号）の復調を行い、上記制御回路１１０に出力する受信回路３０７と、識別マークＰＭを検出する上記マークセンサ１２７と、上記カートリッジ７の装着状態を検出する上記カートリッジセンサ８１と、上記カッター駆動ボタン１６と、上記ＬＥＤ９１と、上記モニタ９２と、上記第１フォトセンサ７２と、上記第２フォトセンサ６２と、上記プッシュスイッチ６８とが接続されている。
【００８８】
また、上記送信回路３０６及び受信回路３０７は、アンテナ共用器２４０及び切替回路８６を介してラベル作成用アンテナＬＣ１及び情報送受用アンテナＬＣ２に接続されている。切替回路８６は、制御回路１１０からの制御信号に基づき、上記アンテナ共用器２４０をラベル作成用アンテナＬＣ１又は情報送受用アンテナＬＣ２に接続するように切り替える。具体的には、制御回路１１０は、処理モードとしてラベル作成処理モードが選択されているときは、アンテナ共用器２４０とラベル作成用アンテナＬＣ１とを接続し、処理モードとして外部通信処理モードが選択されているときは、アンテナ共用器２４０と情報送受用アンテナＬＣ２とを接続するように、上記切替回路８６を制御する。
【００８９】
このような制御回路１１０を核とする制御系において、ＰＣ１１８を介して文字データ等が入力された場合、そのテキスト（文書データ）がテキストメモリ１１７Ａに順次記憶されるとともに、印字ヘッド２３が駆動回路１２０を介して駆動され、各発熱素子が１ライン分の印字ドットに対応して選択的に発熱駆動されて印字バッファ１１７Ｂに記憶されたドットパターンデータの印字を行い、これと同期して搬送用モータ１１９が駆動回路１２１を介してテープの搬送制御を行う。また、送信回路３０６が制御回路１１０からの制御信号に基づき搬送波の変調制御を行い質問波を出力するとともに、受信回路３０７は制御回路１１０からの制御信号に基づき復調した信号の処理を行う。
【００９０】
図８に、上記ラベル作成用又は情報送受用無線タグ回路素子Ｔoの機能的構成を示す。
【００９１】
図８において、ラベル作成用又は情報送受用無線タグ回路素子Ｔoは、無線タグ情報通信装置１側のラベル作成用アンテナＬＣ１又は情報送受用アンテナＬＣ２と非接触で信号の送受信を行う上記ループアンテナ１５２と、このループアンテナ１５２に接続された上記ＩＣ回路部１５１とを有している。
【００９２】
ＩＣ回路部１５１は、ループアンテナ１５２により受信された質問波を整流する整流部１５３と、この整流部１５３により整流された質問波のエネルギを蓄積し駆動電源とするための電源部１５４と、上記ループアンテナ１５２により受信された質問波からクロック信号を抽出して制御部１５５に供給するクロック抽出部１５６と、所定の情報信号を記憶し得るメモリ部１５７と、上記ループアンテナ１５２に接続された変復調部１５８と、上記メモリ部１５７、クロック抽出部１５６、及び変復調部１５８等を介して上記無線タグ回路素子Ｔoの作動を制御するための上記制御部１５５とを備えている。
【００９３】
変復調部１５６は、ループアンテナ１５２により受信された上記無線タグ情報通信装置１のラベル作成用アンテナＬＣ１又は情報送受用アンテナＬＣ２からの通信信号の復調を行い、また、上記制御部１５５からの返信信号を変調し、ループアンテナ１５２より応答波（タグＩＤを含む信号）として送信する。
【００９４】
クロック抽出部１５６は受信した信号からクロック成分を抽出して制御部１５５にクロックを抽出するものであり、受信した信号のクロック成分の周波数に対応したクロックを制御部１５５に供給する。
【００９５】
制御部１５５は、上記変復調部１５６により復調された受信信号を解釈し、上記メモリ部１５７において記憶された情報信号に基づいて返信信号を生成し、上記変復調部１５６により上記ループアンテナ１５２から返信する制御等の基本的な制御を実行する。
【００９６】
図９に、上述のような構成である無線タグ情報通信装置１によりラベル作成用無線タグ回路素子Ｔoの情報書き込み（又は読み取り）及び印字済みタグラベル用テープ１０９の切断が完了し形成された無線タグラベルＴの外観の一例を示す。また図１０（ａ）に、図９中XA−XA′断面による横断面、及び図９中XB−XB′断面による横断面を示す。
【００９７】
これら図９及び図１０において、無線タグラベルＴは、前述したように図５に示した４層構造にカバーフィルム１０３が加わった５層構造となっており、カバーフィルム１０３側（図９中上側）よりその反対側（図９中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたループアンテナ１５２を含むラベル作成用無線タグ回路素子Ｔoがベースフィルム１０１ｂ及び粘着層１０１ｃ内に備えられるとともに、カバーフィルム１０３の裏面にラベル作成用無線タグ回路素子Ｔoの記憶情報等に対応したラベル印字Ｒ（この例では無線タグラベルＴの種類を示す「ＲＦ−ＩＤ」の文字）が印刷されている。
【００９８】
また、カバーフィルム１０３、粘着層１０１ａ、ベースフィルム１０１ｂ、粘着層１０１ｃには、既に述べたように上記ハーフカッタ３４によってテープ幅方向に略沿ってハーフカット線ＨＣ（半切断部位。但しこの例では前ハーフカット線ＨＣ1及び後ハーフカット線ＨＣ2の２本。）が形成されている。カバーフィルム１０３のうち、これらハーフカット線ＨＣ1，ＨＣ2の間に挟まれた領域がラベル印字Ｒが印刷される印字領域Ｓとなり、印字領域Ｓよりハーフカット線ＨＣ1，ＨＣ2を挟んでテープ長手方向両側がそれぞれ前余白領域Ｓ1及び後余白領域Ｓ2となっている。
【００９９】
上記のような基本構成である無線タグ情報通信装置１においては、動作モードとして、待機モード及びラベル作成処理モード（これら２つが通電解除モードを構成する）と、外部通信処理モード（通電処理モードを構成する）とがある。ラベル作成処理モードでは、ラベル作成用無線タグ回路素子Ｔoを備えた基材テープ１０１がテープ送りローラ２７で搬送され、ラベル作成用アンテナＬＣ１を介しラベル作成用無線タグ回路素子Ｔoに対し情報送受信が行われ、無線タグラベルＴが作成される。一方、外部通信処理モードでは、情報送受用アンテナＬＣ２を介し筐体２００の外部に位置する情報送受用無線タグ回路素子Ｔoと情報送受信が行われることで所定の無線タグ情報の読み取り又は書き込みが行われる。
【０１００】
ここで、無線タグ情報通信装置１に（電源ボタン１４の操作により）電源を投入した後の通常時においては、待機モードとなっている。そして、この待機モードにおいて、上記ＰＣ１１８から無線タグラベルＴを作成するよう指示信号が入力されることによりラベル作成処理モードへ移行する。また、待機モードにおいて所定の条件（後述する各種センサの検出条件など）を満たした場合には、外部通信処理モードへ移行するように切り替えられる。
【０１０１】
図１１に、上記制御回路１１０によって実行される制御手順を示す。図１１において、電源ボタン１４の操作により無線タグ情報通信装置１に電源が投入されるとこのフローが開始される（待機モード）。
【０１０２】
まずステップＳ５で、通信回線ＮＷ及び入出力インターフェース１１３を介して上記ＰＣ１１８から無線タグラベルＴを作成するよう指示する信号が入力されたか否かを判定する。
【０１０３】
無線タグラベルＴを作成する指示信号が入力されている場合、判定が満たされ、ステップＳ１００のラベル作成処理モードへ移行し、このラベル作成処理モードの実行が終了したら、このフローを終了する。
【０１０４】
一方、無線タグラベルＴを作成する指示信号が入力されていない場合、判定が満たされず、ステップＳ１０へ移る。
【０１０５】
ステップＳ１０では、第１フォトセンサ７２（図中では第１ＰＳと略記）が光を検出しておらず（つまり上記遮光検出信号がＯＮ信号）、かつ第２フォトセンサ６２（図中では第２ＰＳと略記）が光を検出している（つまり上記遮光検出信号がＯＦＦ信号）状態となっているか否かを判定する。
【０１０６】
第１フォトセンサ７２が光を検出しておらず、なおかつ第２フォトセンサ６２が光を検出している場合、判定が満たされる。すなわち、第２フォトセンサでは光が検出されているものの、それから離間している情報送受用通信部６１（第１フォトセンサ７２を含む）の周囲では無線タグラベルＴｕが貼付された物品Ｍによって遮光されている状態（図３参照）となっている（つまり操作者によって当該無線タグラベルＴｕに対して情報の読み取り又は書き込みを行う外部通信処理モードが要求されている）とみなされ、ステップＳ２００の外部通信処理モードへ移行する。この外部通信処理モードの実行が終了したら、このフローを終了する。
【０１０７】
また一方、上記ステップＳ１０の判定において、第１フォトセンサ７２が光を検出しているか、若しくは、第２フォトセンサ６２が光を検出していない場合、判定は満たされない。すなわち、操作者が無線タグラベルＴｕをかかげて遮光し外部通信処理モードを要求する状態となっていないものとみなされ、ステップＳ５へ戻り同様の手順を繰り返す。
【０１０８】
以上のフローを行うことにより、ラベル作成処理モードへの移行判定であるステップＳ５と、外部通信処理モードへの移行判定であるステップＳ１０とを繰り返して待機する待機モードから、ＰＣ１１８の指示入力によりラベル作成処理モードへ移行し、２つのフォトセンサの検出結果に基づき外部通信処理モードへ移行する制御が実現できる。
【０１０９】
図１２に、上述したステップＳ１００のラベル作成処理モードにおいて実行される詳細手順を示す。なお、この図１２のフローは、上述したように、ＰＣ１１８による無線タグ情報通信装置１に対する操作者の指示により動作開始する。
【０１１０】
図１２において、まずステップＳ１０３で、切替回路８６に切替制御信号を出力し、アンテナ共用器２４０とラベル作成用アンテナＬＣ１とを接続させる（図７の「ａ」で示す切替位置）。
【０１１１】
次にステップＳ１０５へ移り、上記ＰＣ１１８からの操作信号に基づき、印刷データやラベル作成用無線タグ回路素子Ｔoとの通信データ（書き込みデータ）、前・後ハーフカット位置やフルカット位置の設定等を行う準備処理を実行する。この準備処理に必要な情報をＰＣ１１８より操作・編集入力して行うことで、利便性を向上することができる。
【０１１２】
次に、ステップＳ１１０において、ラベル作成用アンテナＬＣ１からラベル作成用無線タグ回路素子Ｔoへ通信を行う際、ラベル作成用無線タグ回路素子Ｔoからの応答がない場合に通信再試行（リトライ）を行う回数（アクセス試行回数）をカウントする変数Ｍ、Ｎを０に初期化設定する（後述の図１４参照）。
【０１１３】
その後、ステップＳ１１５に移り、入出力インターフェース１１３を介し搬送用モータ駆動回路１２１に制御信号を出力し、搬送用モータ１１９の駆動力によってテープ送りローラ２７及びリボン巻取りローラ１０６を回転駆動させる。さらに、テープ排出モータ駆動回路１２３を介してテープ排出モータ６５に制御信号を出力し、駆動ローラ５１を回転駆動させる。これらにより、第１ロール１０２から基材テープ１０１が繰り出されテープ送りローラ２７へ供給されるとともに、第２ロール１０４からはカバーフィルム１０３が繰り出され、これら基材テープ１０１とカバーフィルム１０３とが上記テープ送りローラ２７及びサブローラ１０９により接着されて一体化されて印字済みタグラベル用テープ１０９として形成され搬送される。
【０１１４】
その後、ステップＳ１２０において、入出力インターフェース１１３を介し入力されたマーク検出センサ１２７の検出信号に基づき、基材テープ１０１の上記識別子ＰＭが検出されたかどうか（言い換えればカバーフィルム１０３が印字ヘッド２３による印刷開始位置まで到達したかどうか）を判定する。識別子ＰＭが検出されたら、判定が満たされて次のステップＳ１２５に移る。
【０１１５】
識別子ＰＭが検出されない（言い換えればカバーフィルム１０３が印刷開始位置まで到達していない）ときは、識別子ＰＭが検出されるまで検出を繰り返す。
【０１１６】
ステップＳ１２５では、入出力インターフェース１１３を介し印刷駆動回路１２０に制御信号を出力し、印字ヘッド２３を通電して、カバーフィルム１０３のうち前述した印字領域Ｓ（＝基材テープ１０１に所定ピッチで等間隔で配置されたラベル作成用無線タグ回路素子Ｔoの裏面にほぼ貼り合わせることとなる領域）に、ステップＳ１０５で生成した印刷データに対応した文字、記号、バーコード等のラベル印字Ｒの印刷を開始する。
【０１１７】
その後、ステップＳ１３０において、印字済みタグラベル用テープ１０９が先のステップＳ１０５で設定した前ハーフカット位置まで搬送されたかどうか（言い換えればハーフカットユニット３５のハーフカッタ３４が前ハーフカット線ＨＣ1に正対する位置まで印字済みタグラベル用テープ１０９が到達したかどうか）を判定する。このときの判定は、例えば、上記ステップＳ１２０において基材テープ１０１の識別子ＰＭを検出した後の搬送距離を所定の公知の方法で検出すればよい（パルスモータである搬送用モータ１１９を駆動する搬送用モータ駆動回路１２１の出力するパルス数をカウントする等）。
【０１１８】
印字済みタグラベル用テープ１０９が前ハーフカット位置に到達していないときは判定が満たされず、到達が検知されるまで当該ステップＳ１３０を繰り返す。
【０１１９】
一方、印字済みタグラベル用テープ１０９が前ハーフカット位置に到達したら、ステップＳ１３０の判定が満たされて次のステップＳ１３５に移る。
【０１２０】
ステップＳ１３５では、入出力インターフェース１１３を介し搬送用モータ駆動回路１２１及びテープ排出モータ駆動回路１２３に制御信号を出力し、搬送用モータ１１９及びテープ排出モータ６５の駆動を停止して、テープ送りローラ２７、リボン巻取りローラ１０６、駆動ローラ５１の回転を停止する。これにより、カートリッジ７から繰り出された印字済みタグラベル用テープ１０９が排出方向に移動する過程で、ステップＳ１０５で設定した前ハーフカット線ＨＣ1にハーフカットユニット３５のハーフカッタ３４が正対した状態で、第１ロール１０２からの基材テープ１０１の繰り出し、第２ロール１０４からのカバーフィルム１０３の繰り出し、及び印字済みタグラベル用テープ１０９の搬送が停止する。またこのとき、入出力インターフェース１１３を介し印刷駆動回路１２０にも制御信号を出力し、印字ヘッド２３の通電を停止して、上記ラベル印字Ｒの印刷を停止（印刷中断）する。
【０１２１】
その後、ステップＳ１４０で、入出力インターフェース１１３を介しハーフカッターモータ駆動回路１２８に制御信号を出力してハーフカッターモータ１２９を駆動し、ハーフカッタ３４を回動させて、印字済みタグラベル用テープ１０９のカバーフィルム１０３、粘着層１０１ａ、ベースフィルム１０１ｂ及び粘着層１０１ｃを切断して前ハーフカット線ＨＣ1を形成する前ハーフカット処理を行う。
【０１２２】
そして、ステップＳ１４５に移り、上記ステップＳ１１５と同様にしてテープ送りローラ２７、リボン巻取りローラ１０６、駆動ローラ５１を回転駆動させて印字済みタグラベル用テープ１０９の搬送を再開するとともに、ステップＳ１２５と同様にして印字ヘッド２３に通電してラベル印字Ｒの印刷を再開する。
【０１２３】
その後、ステップＳ１５０において、搬送される印字済みタグラベル用テープ１０９が所定値（例えば、対応する印字が施されたカバーフィルム１０３が貼り合わされたラベル作成用無線タグ回路素子Ｔoがラベル作成用アンテナＬＣ１に到達するだけの搬送距離）だけ搬送されたかどうかを判断する。このときの搬送距離判定も、上記ステップＳ１３０と同様に、パルスモータである搬送用モータ１１９を駆動する搬送用モータ駆動回路１２１の出力するパルス数をカウントする等により行えば足りる。
【０１２４】
印字済みタグラベル用テープ１０９が所定値搬送されていないときは、判定が満たされず、所定値搬送が検知されるまで当該ステップＳ１５０を繰り返す。
【０１２５】
一方、印字済みタグラベル用テープ１０９が所定値搬送されたら、ステップＳ１５０の判定が満たされ、次のステップＳ３００に移る。
【０１２６】
次のステップＳ３００では、タグアクセス処理を行う。すなわち、ラベル作成用無線タグ回路素子Ｔoの通信位置（ラベル作成用無線タグ回路素子Ｔoがラベル作成用アンテナＬＣ１と正対する位置）まで搬送したら搬送及び印字を停止して情報送受信を行い、その後搬送及び印字を再開して印字を完了させ、さらに搬送して後ハーフカット位置で搬送を停止して後ハーフカット線ＨＣ2の形成を行う（後述の図１３参照）。
【０１２７】
以上のようにしてステップＳ３００が終了したら、ステップＳ１５５に移る（なおこの時点でステップＳ２００において印字済みタグラベル用テープ１０９の搬送が再開されている）。ステップＳ１５５では、印字済みタグラベル用テープ１０９が前述したフルカット位置まで搬送されたかどうか（言い換えれば切断機構１５の可動刃４１がステップＳ１０５で設定したフルカット位置に正対する位置まで印字済みタグラベル用テープ１０９が到達したかどうか）を判定する。このときの判定も、前述と同様、例えば、上記ステップＳ１２０において基材テープ１０１の識別子ＰＭを検出した後の搬送距離を所定の公知の方法で検出すればよい（パルスモータである搬送用モータ１１９を駆動する搬送用モータ駆動回路１２１の出力するパルス数をカウントする等）。フルカット位置に到達するまで判定が満たされずこの手順を繰り返し、到達したら判定が満たされて次のステップＳ１６０に移る。
【０１２８】
ステップＳ１６０では、上記ステップＳ１３５と同様にして、テープ送りローラ２７、リボン巻取りローラ１０６、駆動ローラ５１の回転を停止して印字済みタグラベル用テープ１０９の搬送を停止する。これにより、ステップＳ１０５で設定したフルカット位置に切断機構１５の可動刃４１が正対した状態で、第１ロール１０２からの基材テープ１０１の繰り出し、第２ロール１０４からのカバーフィルム１０３の繰り出し、及び印字済みタグラベル用テープ１０９の搬送が停止する。
【０１２９】
その後、ステップＳ１６５において、カッターモータ駆動回路１２２に制御信号を出力してカッターモータ４３を駆動し、切断機構１５の可動刃４１を回動させて、印字済みタグラベル用テープ１０９のカバーフィルム１０３、粘着層１０１ａ、ベースフィルム１０１ｂ、粘着層１０１ｃ及び剥離紙１０１ｄをすべて切断（分断）して切断線を形成するフルカット処理を行う。この切断機構１５による分断によって印字済みタグラベル用テープ１０９から切り離され、ラベル作成用無線タグ回路素子Ｔoの無線タグ情報が読み取られかつこれに対応する所定の印字が行われたラベル状の無線タグラベルＴが生成される。
【０１３０】
その後、ステップＳ１７０に移り、入出力インターフェース１１３を介してテープ排出モータ駆動回路１２３に制御信号を出力し、テープ排出モータ６５の駆動を再開して、駆動ローラ５１を回転させる。これにより、駆動ローラ５１による搬送が再開されて上記ステップＳ１６５でラベル状に生成された無線タグラベルＴがラベル排出口１１へ向かって搬送され、ラベル排出口１１から装置外へと排出し、このフローを終了する。
【０１３１】
図１３に、上述したステップＳ３００のタグアクセス処理の詳細手順を示す。
【０１３２】
まずステップＳ３１０において、印字済みタグラベル用テープ１０９が前述したラベル作成用アンテナＬＣ１との通信位置まで搬送されたかどうかを判定する。このときの判定も、前述した図１２のステップＳ１３０と同様、例えば、上記ステップＳ１２０において基材テープ１０１の識別子ＰＭを検出した後の搬送距離を所定の公知の方法で検出すればよい。
【０１３３】
印字済みタグラベル用テープ１０９が通信位置に到達していないときは、判定が満たされず、通信位置に到達するまで当該ステップＳ３１０を繰り返す。
【０１３４】
一方、印字済みタグラベル用テープ１０９が通信位置に到達したら、ステップＳ３１０の判定が満たされて次のステップＳ３２０に移る。
【０１３５】
ステップＳ３２０では、上記ステップＳ１３５と同様にして、テープ送りローラ２７、リボン巻取りローラ１０６、駆動ローラ５１の回転を停止し、ラベル作成用無線タグ回路素子Ｔoにラベル作成用アンテナＬＣ１が略正対した状態で印字済みタグラベル用テープ１０９の搬送が停止する。また、印字ヘッド２３の通電を停止して、上記ラベル印字Ｒの印刷を停止（中断）する。
【０１３６】
続いて、ステップＳ４００において、ラベル作成用アンテナＬＣ１とラベル作成用無線タグ回路素子Ｔoとの間で無線通信により情報の送受信を行い、ラベル作成用無線タグ回路素子ＴoのＩＣ回路部１５１に対し図１２の上記ステップＳ１０５で作成した情報を書き込む（又はＩＣ回路部１５１に予め記憶されていた情報を読み取る）情報送受信処理を行う（後述の図１４参照）。
【０１３７】
その後、ステップＳ３４０に移り、図１２のステップＳ１４５と同様にして、テープ送りローラ２７、リボン巻取りローラ１０６、駆動ローラ５１を回転駆動させて印字済みタグラベル用テープ１０９の搬送を再開するとともに、印字ヘッド２３に通電してラベル印字Ｒの印刷を再開する。
【０１３８】
その後、ステップＳ３５０に移り、印字済みタグラベル用テープ１０９が前述した印刷終了位置（図１２中ステップＳ１０５で算出）まで搬送されたかどうかを判定する。このときの判定も、前述と同様、例えば、上記ステップＳ１２０において識別子ＰＭを検出した後の搬送距離を所定の公知の方法で検出すればよい。印刷終了位置に到達するまで判定が満たされずこの手順を繰り返し、印刷終了位置に到達したら判定が満たされて次のステップＳ３６０に移る。
【０１３９】
ステップＳ３６０では、図１２のステップＳ１３５と同様にして、印字ヘッド２３の通電を停止して、上記ラベル印字Ｒの印刷を停止する。これによって、印字領域Ｓに対するラベル印字Ｒの印刷が完了する。
【０１４０】
その後、ステップＳ３７０に移り、所定の後ハーフカット位置まで搬送した後にハーフカッタ３４によって後ハーフカット線ＨＣ2の形成を行う後ハーフカット処理を行う。以上によりこのルーチンを終了する。
【０１４１】
図１４に、上述したステップＳ４００の詳細手順を示す。なおこの例では、前述の情報書き込み及び情報読み取りのうち、情報書き込みを例にとって説明する。
【０１４２】
図１４において、まずステップＳ４０５で、入出力インターフェース１１３を介し前述の送信回路３０６に制御信号を出力し、タグＩＤ読み取りコマンド信号の送信を行う。すなわち、送信回路３０６が、所定の変調を行うことで、ラベル作成用無線タグ回路素子Ｔoの記憶されたタグＩＤを取得するための質問波（この例では問合せ信号としての上記タグＩＤ読取コマンド信号）を生成する。そして、このタグＩＤ読み取りコマンド信号を、ラベル作成用アンテナＬＣ１を介して書き込み対象のラベル作成用無線タグ回路素子Ｔoに送信する。これにより、ラベル作成用無線タグ回路素子Ｔoの上記メモリ部１５７を初期化する。
【０１４３】
その後、ステップＳ４１５において、上記タグＩＤ読取コマンド信号に対応して書き込み対象のラベル作成用無線タグ回路素子Ｔoから送信されたリプライ信号（タグＩＤを含む）をラベル作成用アンテナＬＣ１を介して受信し、受信回路３０７及び入出力インターフェース１１３を介し取り込む。
【０１４４】
次に、ステップＳ４２０において、上記受信したリプライ信号に基づき、当該ラベル作成用無線タグ回路素子ＴoのタグＩＤが正常に読み取れたか否かを判定する。
【０１４５】
判定が満たされない場合はステップＳ４２５に移ってＭに１を加え、さらにステップＳ４３０においてＭ＝５かどうかが判定される。Ｍ≦４の場合は判定が満たされずステップＳ４０５に戻り同様の手順を繰り返す。Ｍ＝５の場合はステップＳ４３５に移り、エラー表示信号を入出力インターフェース１１３を介し上記ＰＣ１１８へ出力し、対応する書き込み失敗（エラー）表示を行わせ、このルーチンを終了する。このようにして初期化が不調でも５回までは再試行が行われる。
【０１４６】
ステップＳ４２０の判定が満たされた場合、ステップＳ４４０に移り、入出力インターフェース１１３を介し送信回路３０６に制御信号を出力し、Writeコマンド信号の送信を行う。すなわち、送信回路３０６が、所定の変調を行うことで、ステップＳ４１５にて読み取ったタグＩＤを指定し当該ラベル作成用無線タグ回路素子Ｔoのメモリ部１５７に所望のデータを書き込むための質問波（この例では上記Writeコマンド信号）を生成する。そして、このwriteコマンド信号を、ラベル作成用アンテナＬＣ１を介して情報書き込み対象のラベル作成用無線タグ回路素子Ｔoに送信し、情報を書き込む。
【０１４７】
その後、ステップＳ４４５において、入出力インターフェース１１３を介し送信回路３０６に制御信号を出力し、Readコマンド信号の送信を行う。すなわち、送信回路３０６が、所定の変調を行うことで、ステップＳ４１５にて読み取ったタグＩＤを指定し当該ラベル作成用無線タグ回路素子Ｔoのメモリ部１５７に記録されたデータを読み出すための質問波（この例では上記Readコマンド信号）を生成する。そして、このReadコマンド信号をラベル作成用アンテナＬＣ１を介して情報書き込み対象のラベル作成用無線タグ回路素子Ｔoに送信し、返信を促す。
【０１４８】
その後ステップＳ４５０において、上記Read コマンド信号に対応して書き込み対象のラベル作成用無線タグ回路素子Ｔoから送信されたリプライ信号をラベル作成用アンテナＬＣ１を介して受信し、受信回路３０７を介し取り込む。
【０１４９】
次に、ステップＳ４５５において、上記受信したリプライ信号に基づき、当該ラベル作成用無線タグ回路素子Ｔoのメモリ部１５７内に記憶された情報を確認し、公知の誤り検出符号（ＣＲＣ符号；Cyclic  Redundancy  Check等）を用いて、前述の送信した所定の情報がメモリ部１５７に正常に記憶されたか否かを判定する。
【０１５０】
正常に記憶されていない場合は判定が満たされず、ステップＳ４６０に移ってＮに１を加え、さらにステップＳ４６５においてＮ＝５かどうかが判定される。Ｎ≦４の場合は判定が満たされずステップＳ４４０に戻り同様の手順を繰り返す。Ｎ＝５の場合は前述したステップＳ４３５に移り、同様にＰＣ１１８に対応する書き込み失敗（エラー）表示を行わせ、このルーチンを終了する。このようにして情報書き込みが不調でも５回までは再試行が行われる。
【０１５１】
ステップＳ４５５において正常に記憶が行われていた場合、判定が満たされ、ステップＳ４７０に移る。ステップＳ４７０では、送信回路３０６に制御信号を出力し、ロックコマンド信号の送信を行う。すなわち、送信回路３０６が、所定の変調を行うことで、ステップＳ４１５にて読み取ったタグＩＤを指定し当該ラベル作成用無線タグ回路素子Ｔoのメモリ部１５７に記録されたデータの上書きを禁止するための質問波（この例では上記ロックコマンド信号）を生成する。そして、このロックコマンド信号を、ラベル作成用アンテナＬＣ１を介して情報書き込み対象のラベル作成用無線タグ回路素子Ｔoに送信し、当該ラベル作成用無線タグ回路素子Ｔoへの新たな情報の書き込みを禁止する。これにより、書き込み対象とするラベル作成用無線タグ回路素子Ｔoへの情報書き込みが完了する。
【０１５２】
その後、ステップＳ４８０に移り、上記ステップＳ４４０でラベル作成用無線タグ回路素子Ｔoに書き込まれた情報と、これに対応して既に印字ヘッド２３により印字領域Ｓに印字されるラベル印字Ｒの印字情報との組み合わせを、入出力インターフェース１１３及び通信回線ＮＷを介し出力され、情報サーバＩＳやルートサーバＲＳに記憶させる。なお、この記憶データは必要に応じてＰＣ１１８より参照可能に例えば各サーバＩＳ，ＲＳのデータベース内に格納保持される。以上により、このルーチンを終了する。
【０１５３】
なお、上記図１４では、ラベル作成用無線タグ回路素子Ｔoに対し無線タグ情報を送信しＩＣ回路部１５１に書き込みを行って無線タグラベルＴを作成する場合に対応し、情報送受信処理として情報書き込みを行う場合を例にとって説明したが、これに限られない。すなわち、予め所定の無線タグ情報が書き換え不可に記憶保持されている読み取り専用のラベル作成用無線タグ回路素子Ｔoから無線タグ情報を読み取りながら、これに対応する印字を行って無線タグラベルＴを作成する場合にも適用でき、この場合は情報送受信処理として情報読み取りを行えばよい。
【０１５４】
図１５に、上述したステップＳ２００の外部通信処理モードにおいて実行される処理の詳細手順を示す。なお、この図１５のフローは、上述したように、第１フォトセンサ７２と第２フォトセンサ６２の検出結果が所定の組み合わせ（第１フォトセンサ７２が光非検出、第２フォトセンサ６２が光検出）となった際に動作開始する。
【０１５５】
図１５において、まずステップＳ２０５で、切替回路８６に切替制御信号を出力し、アンテナ共用器２４０と情報送受用アンテナＬＣ２とを接続させる（図７の「ｂ」で示す切替位置）。
【０１５６】
次にステップＳ２１０へ移り、プッシュスイッチ６８がＯＮ状態となっているか否かを判定する。プッシュスイッチ６８がＯＮ状態となっている場合、つまり無線タグ情報通信装置１が図３を用いて前述した横置きの姿勢となっている場合、判定が満たされる。すなわち、情報送受信用アンテナＬＣ２がその時点での筐体２００の上方に位置している（図３の状態）ことに対応して（後述のように本実施形態では、この場合、情報送受用無線タグ回路素子Ｔoに対し情報の読み取りと書き込みの両方を許容する）、次のステップＳ２１５へ移る。
【０１５７】
ステップＳ２１５では、操作者がＰＣ１１８を介し無線タグラベルＴｕの情報送受用無線タグ回路素子Ｔoに対して情報読み取りを行うよう指示したか否か（入出力インターフェース及び通信ネットワークＮＷを介してＰＣ１１８に問い合わせてもよい）を判定する。読み取りを行うよう指示されていた場合、判定が満たされ、ステップＳ５００の読み取り処理（後述の図１６参照）を行い、このフローを終了する。一方、操作者からのＰＣ１１８を介した指示内容が読み取りでなかった場合、判定が満たされず、ステップＳ２２０へ移る。
【０１５８】
ステップＳ２２０では、操作者がＰＣ１１８を介し無線タグラベルＴｕの情報送受用無線タグ回路素子Ｔoに対して情報書き込みを行うよう指示したか否か（上記同様、入出力インターフェース及び通信ネットワークＮＷを介してＰＣ１１８に問い合わせてもよい）を判定する。書き込みを行うよう指示されていた場合、判定が満たされ、ステップＳ６００の書き込み処理（後述の図１７参照）を行い、このフローを終了する。一方、指示内容が書き込みでなかった場合、ステップＳ２２０の判定が満たされず、このままこのフローを終了する。
【０１５９】
また一方、上記ステップＳ２１０の判定において、プッシュスイッチ６８がＯＦＦ状態となっている場合、つまり無線タグ情報通信装置１が縦置きの姿勢となっている場合は、判定が満たされない。すなわち、情報送受信用アンテナＬＣ２がその時点での筐体の側方に位置している（図２の状態）ことに対応して（後述のように本実施形態では、この場合、情報送受用無線タグ回路素子Ｔoに対し情報の読み取りのみを許容する）、次のステップＳ２２５へ移る。
【０１６０】
ステップＳ２２５では、ステップＳ２１５と同様、操作者がＰＣ１１８を介し無線タグラベルＴｕの情報送受用無線タグ回路素子Ｔoに対して情報読み取りを行うよう指示したか否か（入出力インターフェース及び通信ネットワークＮＷを介してＰＣ１１８に問い合わせてもよい）を判定する。読み取りを行うよう指示されていた場合、判定が満たされ、ステップＳ５００の読み取り処理（後述の図１６参照）を行い、このフローを終了する。一方、ＰＣ１１８の指示内容が読み取りでない場合、判定が満たされず、そのままこのフローを終了する。
【０１６１】
以上のフローを行うことにより、プッシュスイッチ６８がＯＮ状態となっている場合、つまり無線タグ情報通信装置１が横置きの姿勢となっている場合には、情報送受用アンテナＬＣ２を介して情報送受用無線タグ回路素子Ｔoに対し情報の読み取りと書き込みを行える読み書きモードとして機能し、ＰＣ１１８における指示に応じて読み取り処理と書き込み処理とが選択的に切り替えられる。また、プッシュスイッチ６８がＯＦＦ状態となっている場合、つまり無線タグ情報通信装置１が縦置きの姿勢となっている場合には、情報送受用アンテナＬＣ２を介して情報送受用無線タグ回路素子Ｔoに対し情報の読み取りのみが行える読み取りモードとして機能し、ＰＣ１１８における指示に応じて読み取り処理が行われる。
【０１６２】
図１６に、上記図１５におけるステップＳ５００の読み取り処理の詳細手順を示す。
【０１６３】
図１６において、まずステップＳ５２０で、入出力インターフェース１１３を介し前述の送信回路３０６に制御信号を出力し、タグＩＤ読み取りコマンド信号の送信を行う。すなわち、送信回路３０６が、所定の変調を行うことで、ラベル作成用無線タグ回路素子Ｔoの記憶されたタグＩＤを取得するための質問波（この例では問合せ信号としての上記タグＩＤ読取コマンド信号）を生成する。そして、このタグＩＤ読み取りコマンド信号を、情報送受用アンテナＬＣ２を介して読み取り対象である情報送受用無線タグ回路素子Ｔoに送信し、返信を促す。
【０１６４】
その後、ステップＳ５３０において、上記タグＩＤ読取コマンド信号に対応して読み取り対象の情報送受用無線タグ回路素子Ｔoから送信されたリプライ信号（タグＩＤを含む）を情報送受用アンテナＬＣ２を介して受信し、受信回路３０７及び入出力インターフェース１１３を介し取り込む。
【０１６５】
そして、ステップＳ５４０において、受信したリプライ信号に誤りがないか否かを公知の誤り検出符号（ＣＲＣ符号；Cyclic  Redundancy  Check等）を用いて判定する。
【０１６６】
判定が満たされない場合はステップＳ５５０に移ってＫ（通信不調時の再試行回数をカウントするための変数であり、当初は０に初期化されているる）に１を加える。その後さらにステップＳ５６０においてＫが予め定められた所定のリトライ回数（この例では５回。それ以外の回数に適宜設定してもよい）となったかどうかを判定する。Ｋ≦４の場合は判定が満たされずステップＳ５２０に戻り、同様の手順を繰り返す。Ｋ＝５の場合はステップＳ５７０に移り、入出力インターフェース１１３介しエラー表示信号をモニタ９２あるいはＬＥＤ９１に出力して読み取り失敗（エラー）表示を行わせ、本フローを終了する。
【０１６７】
このようにして読み取りが不調でも所定回数（この例では５回）までは再試行が行われ、５回まで不調に終わると読み取り失敗（エラー）表示を行わせる。
【０１６８】
一方、ステップＳ５４０の判定が満たされた場合、読み取り対象とする情報送受用無線タグ回路素子Ｔoからの無線タグ情報の読み取りが完了し、本フローを終了する。
【０１６９】
図１７に、上記図１５におけるステップＳ６００の書き込み処理の詳細手順を示す。
【０１７０】
図１７において、このフローは、上記ラベル作成用アンテナＬＣ１を介し行われるタグラベル作成処理の上記ステップＳ４００とほぼ同様の内容となっている。
【０１７１】
すなわち、まずステップＳ６０５で、上記ステップＳ４０５と同様、送信回路３０６に制御信号を出力し、タグＩＤ読み取りコマンド信号の送信を行う。すなわち、送信回路３０６が、所定の変調を行うことで、情報送受用無線タグ回路素子Ｔoの記憶されたタグＩＤを取得するための質問波（タグＩＤ読取コマンド信号）を生成する。そして、このタグＩＤ読み取りコマンド信号を、情報送受用アンテナＬＣ２を介して情報送受用無線タグ回路素子Ｔoに送信する。これにより、情報送受用無線タグ回路素子Ｔoの上記メモリ部１５７を初期化する。
【０１７２】
その後、ステップＳ６１５において、上記ステップＳ４１５と同様、上記タグＩＤ読取コマンド信号に対応して書き込み対象の情報送受用無線タグ回路素子Ｔoから送信されたリプライ信号を情報送受用アンテナＬＣ２を介して受信し取り込む。
【０１７３】
次に、ステップＳ６２０において、上記ステップＳ４２０と同様、上記受信したリプライ信号に基づき、当該情報送受用無線タグ回路素子ＴoのタグＩＤが正常に読み取れたか否かを判定する。
【０１７４】
判定が満たされない場合はステップＳ６２５に移ってＭに１を加え、さらにステップＳ６３０においてＭ＝５かどうかが判定される。Ｍ≦４の場合は判定が満たされずステップＳ６０５に戻り同様の手順を繰り返す。Ｍ＝５の場合はステップＳ６３５に移り書き込み失敗（エラー）表示を行わせ、このルーチンを終了する。
【０１７５】
ステップＳ６２０の判定が満たされた場合、ステップＳ６４０に移り、上記ステップＳ４４０と同様、送信回路３０６に制御信号を出力し、Writeコマンド信号の送信を行う。すなわち、送信回路３０６が、所定の変調を行うことで、ステップＳ６１５にて読み取ったタグＩＤを指定し当該情報送受用無線タグ回路素子Ｔoのメモリ部１５７に所望のデータを書き込むための質問波（この例では上記Writeコマンド信号）を生成する。そして、このwriteコマンド信号を、情報送受用アンテナＬＣ２を介して情報書き込み対象の情報送受用無線タグ回路素子Ｔoに送信し、情報を書き込む。
【０１７６】
その後、ステップＳ６４５において、上記ステップＳ４４５と同様、送信回路３０６に制御信号を出力し、Readコマンド信号の送信を行う。すなわち、送信回路３０６が、所定の変調を行うことで、ステップＳ６１５にて読み取ったタグＩＤを指定し当該情報送受用無線タグ回路素子Ｔoのメモリ部１５７に記録されたデータを読み出すための質問波（この例では上記Readコマンド信号）を生成する。そして、このReadコマンド信号を情報送受用アンテナＬＣ２を介して情報書き込み対象の情報送受用無線タグ回路素子Ｔoに送信し、返信を促す。
【０１７７】
その後ステップＳ６５０において、上記ステップＳ４５０と同様、上記Read コマンド信号に対応して書き込み対象の情報送受用無線タグ回路素子Ｔoから送信されたリプライ信号を情報送受用アンテナＬＣ２を介して受信し、受信回路３０７を介し取り込む。
【０１７８】
次に、ステップＳ６５５において、上記ステップＳ４５５と同様、上記受信したリプライ信号に基づき、当該情報送受用無線タグ回路素子Ｔoのメモリ部１５７内に記憶された情報を確認し、公知の誤り検出符号を用いて、前述の送信した所定の情報がメモリ部１５７に正常に記憶されたか否かを判定する。
【０１７９】
正常に記憶されていない場合は判定が満たされず、ステップＳ６６０に移ってＮに１を加え、さらにステップＳ６６５においてＮ＝５かどうかが判定される。Ｎ≦４の場合は判定が満たされずステップＳ６４０に戻り同様の手順を繰り返す。Ｎ＝５の場合は前述したステップＳ６３５に移り、書き込み失敗（エラー）表示を行わせ、このルーチンを終了する。
【０１８０】
ステップＳ６５５において正常に記憶が行われていた場合、判定が満たされ、ステップＳ６７０に移る。ステップＳ６７０では、上記ステップＳ４７０と同様、送信回路３０６に制御信号を出力し、ロックコマンド信号の送信を行う。すなわち、送信回路３０６が、所定の変調を行うことで、ステップＳ６１５にて読み取ったタグＩＤを指定し当該ラベル作成用無線タグ回路素子Ｔoのメモリ部１５７に記録されたデータの上書きを禁止するための質問波（この例では上記ロックコマンド信号）を生成する。そして、このロックコマンド信号を、情報送受用アンテナＬＣ２を介して情報書き込み対象の情報送受用無線タグ回路素子Ｔoに送信し、当該情報送受用無線タグ回路素子Ｔoへの新たな情報の書き込みを禁止する。これにより、書き込み対象とする情報送受用無線タグ回路素子Ｔoへの情報書き込みが完了する。そしてこのフローを終了する。
【０１８１】
なお、図１４のステップＳ４８０と同様に、上記ステップＳ６４０で情報送受用無線タグ回路素子Ｔoに書き込まれた情報を（何か別の情報、例えばタグＩＤと関連づけて）、情報サーバＩＳやルートサーバＲＳに記憶させるようにしてもよい。
【０１８２】
以上において、送信回路３０６及び受信回路３０７が、各請求項記載の読み書き制御手段を構成する。また、第１フォトセンサ７２及び第２フォトセンサ６２と、図１１のフローのステップＳ５及びステップＳ１０の手順とが、通電モード切替手段を構成する。また、プッシュスイッチ６８と、図１５のフローのステップＳ２１０の手順が、通信モード切替手段を構成する。
【０１８３】
以上説明した本実施形態においては、ラベル作成用アンテナＬＣ１及び情報送受用アンテナＬＣ２を用いてラベル作成処理と外部通信処理とを実行可能である。ラベル作成処理の実行時にあっては、ラベル作成用無線タグ回路素子Ｔoを備えた基材テープ１０１を含む印字済みタグラベル用テープ１０９がテープ送りローラ駆動軸１０８で搬送される。そして、ラベル作成用アンテナＬＣ１を介しそのラベル作成用無線タグ回路素子に対し情報送受信が行われ、読み書きが終了したラベル作成用無線タグ回路素子Ｔoを備えた印字済みタグラベル用テープ１０９を用いて、無線タグラベルＴが作成される。
【０１８４】
一方、外部通信処理の実行時にあっては、情報送受用アンテナＬＣ２を介し、装置外部に位置する情報送受用無線タグ回路素子Ｔoに対し情報送受信が行われ、所定の情報が読み取られる（又は所定の情報が書き込まれる）。
【０１８５】
このようにして、１つの無線タグ通信装置１を用いて無線タグラベルＴの作成処理と装置外部の無線タグ回路素子Ｔoに対する外部通信処理との両方を行うことができる。この結果、ラベル作成装置と無線タグ情報通信装置との両方を別々にそろえる場合に比べ、機器構成の簡素化及び利用者のコスト負担の低減を図ることができる。
【０１８６】
また、筐体２００外部の情報送受用無線タグ回路素子Ｔoに対する外部通信処理は、操作者が情報送受用無線タグ回路素子Ｔoを添付、貼り付け等した対象物（上記の例では物品Ｍ）を情報送受用ループアンテナＬＣ２の通信距離範囲内に近接させて行うため、比較的大きな電力が必要となる場合が多い。そこで、本実施形態では特に、情報送受用無線タグ回路素子Ｔoに対する情報読み取り又は情報書き込み実行の通電開始のための通電処理モード（外部通信処理モード）と、この通電を解除する通電解除モード（待機モード又はラベル作成処理モード）とを切替可能としている。これにより、ラベル作成処理と外部通信処理の両方の機能を備える無線タグ情報通信装置１において、操作者が外部通信処理を行う場合にのみ図１１のステップＳ２００において外部通信処理モードにして通電を行う一方、外部通信処理を行わない場合には待機モード又は上記ステップＳ１００においてラベル作成処理モードにし、外部通信処理のための通電を行わないようにすることができる。これにより、このような通電と通電解除との切り替えを行わない場合に比べ、電力消費を低減し省エネルギ化を図ることができる。また、無駄な外部通信処理動作を防止することで本来意図しない誤検知を防止できる効果もある。
【０１８７】
このとき特に、最初は通電を解除して待ち状態で待機するとともに、指示信号の入力があればステップＳ５よりステップＳ１００のラベル作成処理モードに移行するようにする。これにより、電力消費を低減して省エネルギ化を図れるとともに、ラベル作成指示信号の入力に応じて速やかにラベル作成処理を実行することができる。
【０１８８】
また、本実施形態では特に、第１フォトセンサ７２を設け、この検出結果に基づきステップＳ１０で外部通信処理モードへ移行するかどうかを切り替える構成である。これにより、操作者が外部通信処理に伴い情報送受用無線タグ回路素子Ｔoを添付、貼り付け等した対象物（物品Ｍ）を第１フォトセンサ７２に近づけたかどうかに応じ、その挙動を光学的に検出して、通電と通電解除との切り替えを行うことができる。
【０１８９】
また、本実施形態では特に、図１１のステップＳ１０において、第１フォトセンサ７２のみならず第２フォトセンサ６２の検出結果を加味してモード切替を行う。すなわち、第１フォトセンサ７２が光を検出しておらず、なおかつ第２フォトセンサ６２が光を検出している場合のみステップＳ２００で外部通信処理モードへ移行する。これにより、情報送受用無線タグ回路素子Ｔoを添付、貼り付け等した物品Ｍを近づけたことによる遮光状態を、それ以外の遮光状態（設置箇所の室内灯を消した等）と混同し誤検出を行うのを確実に防止することができる。
【０１９０】
また、本実施形態では特に、図１５に示したように、情報送受用無線タグ回路素子Ｔoに対する情報読み取り及び情報書き込みの両方を行う読み書きモードと、情報読み取りのみを行う読み取りモードとを切替可能である。これにより、操作者が外部通信処理を行うときの使用態様や求める特性等に応じて最適なモードを選択して使うことができる。特に、情報読み取りモードでは、情報読み取りのみを行え情報書き込みを行えないようにすることで、情報送受用無線タグ回路素子ＴoのＩＣ回路部１５１に既に書き込まれた情報が誤って変更されたり消去されるのを確実に防止することができる。以上の結果、操作者の利便性を向上することができる。
【０１９１】
また、本実施形態では特に、操作者が装置本体２の姿勢を変化させたかどうかに応じてモードが切り替わり、筐体２００の上面側に情報送受用アンテナＬＣ２が位置する姿勢では読み書きモードに切り替えられ、筐体２００の側面側に情報送受用アンテナＬＣ２が位置する姿勢となったとき、読み取りモードに切り替えられる。これには、以下のような意義がある。
【０１９２】
すなわち、外部通信処理の実行時、情報送受用アンテナＬＣ２が筐体２００上面側に位置している場合には操作者がアンテナの存在を認識しやすいので、情報送受用無線タグ回路素子ＴoのＩＣ回路部１５１に既に書き込まれた情報を誤って変更したり消去する等の意図しない誤操作の可能性は低い。したがって、読み書きモードへ切り替えることで、情報送受用無線タグ回路素子Ｔoに対し、情報読み取りと情報書き込みとの両方を確実に行うことができる。一方、外部通信処理の実行時、情報送受用アンテナＬＣ２が筐体２００側面側に位置している場合には操作者がアンテナの存在を認識しにくい。したがって、読み取りモードへ切り替えることで、情報送受用無線タグ回路素子Ｔoに対し、情報読み取りのみを行え情報書き込みは行えないようにする。これにより、情報送受用無線タグ回路素子ＴoのＩＣ回路部１５１に既に書き込まれた情報を誤って変更したり消去する等、意図しない誤操作を確実になくすことができる。
【０１９３】
なお、本発明は、上記実施形態に限られるものではなく、その趣旨及び技術的思想を逸脱しない範囲内で種々の変形が可能である。以下、そのような変形例を順を追って説明する。
【０１９４】
（１）装置本体の一部の姿勢変化に応じてモード切り替えを行う場合
すなわち、装置本体２の一部の姿勢を変化可能とし、これに応じてモード切り替えを行うようにした変形例である。上記実施形態と同等の部分には同一の符号を付し、適宜説明を省略又は簡略化する。
【０１９５】
図１８に、本変形例による無線タグ情報通信装置１の外観構成を示す。図１８において、本変形例の無線タグ情報通信装置１の装置本体２は、筐体２００の一部（一方の側面部）が、情報送受用通信部９６となっている。この情報送受用通信部９６は、矢印Ｃのように回動開閉できるように側面部に組み付けられた回動パネル（回動部）９７を備えており、この回動パネル９７に上記情報送受用アンテナＬＣ２、上記第１フォトセンサ７２、及び上記プッシュスイッチ６８が設けられている。
【０１９６】
本変形例のプッシュスイッチ６８は、回動パネル９７を開くことで押し込まれた状態から凸出してＯＮ状態となり、回動パネル９７を閉じることで筐体２００により押しこまれＯＦＦ状態となるものである。本変形例においても、上記実施形態と同様、図１１のステップＳ１０において、第１フォトセンサ７２の遮光検出信号の出力、第２フォトセンサ６２の遮光検出信号の非出力が重畳することを条件に外部通信処理モードへ切り替えを行う。また図１５のステップＳ２１０においては、プッシュスイッチ６８がＯＮ状態であるかどうかに応じて、ステップＳ２２５以降の読み取りモードかステップＳ２１５以降の読み書きモードかを切り替える。
【０１９７】
以上のような変形例によっても、上記実施形態と同様の効果を得る。また、外部通信処理機能を用いない際に回動パネル９７を閉じることで情報送受用アンテナＬＣ２を装置本体２の内部に納めることができ、外部通信処理機能時以外について装置本体２のコンパクト化を図れるという効果もある。
【０１９８】
（２）その他
以上においては、第２光学検出手段である第２フォトセンサ６２を設け、この第２フォトセンサ６２を用いることで、誤って外部通信処理モードが切り替えられ無駄な通電が発生するのを防止するようにしていた（図１１のステップＳ１０参照）が、こうした構成はより一層の省エネ化に有効であるものの、必ずしも必要でない。すなわち、第２フォトセンサ６２を省略し、上記ステップＳ１０において第１フォトセンサ７２の検出信号のみに基づき外部通信処理モードへの切り替えを実行するようにしてもよい。
【０１９９】
また、上記では、第１フォトセンサ７２の検出結果や第２フォトセンサ６２の検出結果に基づき外部通信処理モードへ切り替えを行い（通電モード切替手段の一部として機能していた）、外部通信処理モードへの移行後にプッシュスイッチ６８のＯＮ・ＯＦＦによって読み書きモード又は読み取りモードへの切り替えを行った（通信モード切替手段の一部として機能していた）が、これに限られない。すなわち、プッシュスイッチ６８を通電モード切替手段の一部として機能させ、そのＯＮ・ＯＦＦにも基づいて通電処理モード（外部通信処理モード）か通電解除モード（ラベル作成処理モード又は待機モード）かを切り替えるようにしてもよい。逆に、第１フォトセンサ７２や第２フォトセンサ６２を通信モード切替手段の一部として機能させ、それらの検出結果に基づき、読み書きモードか読み取りモードかを切り替えるようにしてもよい。
【０２００】
さらには、情報送受用無線タグ回路素子Ｔoの近接状態を第１フォトセンサ７２で光学的に検出したが、これに代えて、例えば磁気的に検出するセンサを用いてもよい。
【０２０１】
また、以上においては、ラベル作成処理において、ラベル作成用無線タグ回路素子Ｔoを備えた基材テープ１０１とは別のカバーフィルム１０３に印字を行ってこれらを貼り合わせる方式であったが、これに限られない。すなわち、被印字層（例えば熱により発色し印字形成可能な感熱材料からなる感熱層、又はインクリボンからの熱転写により印字形成可能な被転写材料により構成された被転写層、若しくはインクを塗布することで印字形成可能な受像材料により構成された受像層等）を備えたタグテープ（タグ媒体、ラベル媒体）を用いて当該被印字層に印字を行う方式（貼りあわせを行わないタイプ）に本発明を適用してもよい。さらに、ラベル作成用無線タグ回路素子ＴoのＩＣ回路部１５１から無線タグ情報の読み出し又は書き込みを行うとともに、印字ヘッド２３によってそのラベル作成用無線タグ回路素子Ｔoを識別するための印刷を行うものにも限られない。この印刷は必ずしも行われなくともよく、情報の読み出し又は書き込みのみを行うものに対し本発明を適用することもできる。
【０２０２】
また、以上既に述べた以外にも、上記実施形態や各変形例による手法を適宜組み合わせて利用しても良い。
【０２０３】
その他、一々例示はしないが、本発明は、その趣旨を逸脱しない範囲内において、種々の変更が加えられて実施されるものである。
【図面の簡単な説明】
【０２０４】
【図１】本発明の一実施形態の無線タグ情報通信装置を備えた無線タグ生成システムを示すシステム構成図である。
【図２】無線タグ情報通信装置の外観構成を示す斜視図である。
【図３】図２の無線タグ情報通信装置の装置本体を横置きにした状態を示す図である。
【図４】無線タグ情報通信装置の内部の内部ユニットの構造を示す斜視図である。
【図５】図４に示した内部ユニットの構造を示す平面図である。
【図６】カートリッジの詳細構造を模式的に示す拡大平面図である。
【図７】無線タグ情報通信装置の制御系を示す機能ブロック図である。
【図８】ラベル作成用又は情報送受用無線タグ回路素子の機能的構成を示す機能ブロック図である。
【図９】無線タグラベルの外観の一例を示す上面図、及び下面図である。
【図１０】図９中XA−XA′断面による横断面図を反時計方向に９０°回転させた図、及び、図９中XB−XB′断面による横断面図を反時計方向に９０°回転させた図である。
【図１１】制御回路によって実行される制御手順を示すフローチャートである。
【図１２】ステップＳ１００のラベル作成処理モードにおいて実行される詳細手順を示すフローチャートである。
【図１３】ステップＳ３００のタグアクセス処理の詳細手順を示すフローチャートである。
【図１４】ステップＳ４００の詳細手順を示すフローチャートである。
【図１５】ステップＳ２００の外部通信処理モードにおいて実行される処理の詳細手順を示すフローチャートである。
【図１６】上記図１５におけるステップＳ５００の読み取り処理の詳細手順を示すフローチャートである。
【図１７】上記図１５におけるステップＳ６００の書き込み処理の詳細手順を示すフローチャートである。
【図１８】装置本体の一部の姿勢変化に応じてモード切替を行う変形例による無線タグ情報通信装置の外観構成を示す斜視図である。
【符号の説明】
【０２０５】
１        無線タグ情報通信装置
６２      第２フォトセンサ（第２光学検出手段）
６８      プッシュスイッチ（モード切替手段）
７０      突出部
７２      第１フォトセンサ（第１光学検出手段、近接検出手段）
７３      緩衝部材
９７      回動パネル（回動部）
１０１    基材テープ（タグ媒体、ラベル媒体）
１０３    カバーフィルム（ラベル媒体）
１０８    テープ送りローラ駆動軸（搬送手段）
１０９    印字済みタグラベル用テープ
２００    筐体
３０６    送信回路（読み書き制御手段）
３０７    受信回路（読み書き制御手段）
ＬＣ１    ラベル作成用アンテナ（装置側アンテナ手段）
ＬＣ２    情報送受用アンテナ（装置側アンテナ手段）
Ｔo       無線タグ回路素子
Ｔ        無線タグラベル
Ｙ        方向マーク（表示部）
【図１】
2008226223.tif 000003
【図２】
2008226223.tif 000004
【図３】
2008226223.tif 000005
【図４】
2008226223.tif 000006
【図５】
2008226223.tif 000007
【図６】
2008226223.tif 000008
【図７】
2008226223.tif 000009
【図８】
2008226223.tif 000010
【図９】
2008226223.tif 000011
【図１０】
2008226223.tif 000012
【図１１】
2008226223.tif 000013
【図１２】
2008226223.tif 000014
【図１３】
2008226223.tif 000015
【図１４】
2008226223.tif 000016
【図１５】
2008226223.tif 000017
【図１６】
2008226223.tif 000018
【図１７】
2008226223.tif 000019
【図１８】
2008226223.tif 000020